(57)【要約】【課題】撮影に係る機能が制限される場合の準備に要する手間や時間を削減する。【解決手段】判定部２０２は、撮像装置１０と制御装置２０とが接触しているか否か、または、撮像装置１０と制御装置２０との通信接続が確立されているか否かを判定する。報知制御部２０３は、撮像装置１０と制御装置２０とが接触していないと判定された場合、または撮像装置１０と制御装置２０との通信接続が確立されていないと判定された場合、撮影に係る機能のうち制御装置２０の位置において制限される機能の情報を報知インターフェース２０１に報知させる。機能制限部２０４は、撮像装置１０と制御装置２０とが接触していると判定された場合、または撮像装置１０と制御装置２０との通信接続が確立されていると判定された場合、撮影に係る機能のうち制御装置２０の位置において制限される機能を制限する。【選択図】図１
2015142183.tif 000002
【特許請求の範囲】
【請求項１】
制御装置であって、
撮像モジュールと、第１の通信インターフェースと、を有する撮像装置と通信を行う第２の通信インターフェースと、
情報を報知する報知インターフェースと、
前記撮像装置と前記制御装置とが接触しているか否か、または、前記撮像装置と前記制御装置との通信接続が確立されているか否かを判定する判定部と、
前記撮像装置と前記制御装置とが接触していないと判定された場合、または前記撮像装置と前記制御装置との通信接続が確立されていないと判定された場合、撮影に係る機能のうち前記制御装置の位置において制限される機能の情報を前記報知インターフェースに報知させる報知制御部と、
前記撮像装置と前記制御装置とが接触していると判定された場合、または前記撮像装置と前記制御装置との通信接続が確立されていると判定された場合、前記撮影に係る機能のうち前記制御装置の位置において制限される機能を制限する機能制限部と、
を有する制御装置。
【請求項２】
前記制御装置の位置を示す第１の位置情報を取得する位置情報取得モジュールと、
第２の位置情報と、撮影に係る機能のうち前記第２の位置情報が示す位置において制限される機能を示す機能情報とが関連付けられた制限情報を記憶する記憶モジュールと、
をさらに有し、
前記報知制御部は、前記情報を前記報知インターフェースに報知させる際、前記第１の位置情報に対応する前記第２の位置情報と関連付けられて前記記憶モジュールに記憶されている前記機能情報に対応する情報を前記報知インターフェースに報知させ、
前記機能制限部は、前記機能を制限する際、前記第１の位置情報に対応する前記第２の位置情報と関連付けられて前記記憶モジュールに記憶されている前記機能情報が示す機能を制限する請求項１に記載の制御装置。
【請求項３】
前記制御装置の位置を示す第１の位置情報を取得する位置情報取得モジュールをさらに有し、
前記第２の通信インターフェースはさらに、第２の位置情報と、撮影に係る機能のうち前記第２の位置情報が示す位置において制限される機能を示す機能情報とが関連付けられた制限情報を記憶する外部装置と通信を行い、前記第１の位置情報を前記外部装置に送信し、前記第１の位置情報に対応する前記第２の位置情報と関連付けられて前記外部装置に記憶されている前記機能情報を前記外部装置から受信し、
前記報知制御部は、前記情報を前記報知インターフェースに報知させる際、受信された前記機能情報に対応する情報を前記報知インターフェースに報知させ、
前記機能制限部は、前記機能を制限する際、受信された前記機能情報が示す機能を制限する請求項１に記載の制御装置。
【請求項４】
前記機能制限部は、前記機能を制限する際、前記第２の通信インターフェースに対して、前記撮像装置における撮影に係る機能を制限する命令を前記撮像装置へ送信させる請求項１に記載の制御装置。
【請求項５】
前記命令は、前記撮像装置の電源をＯＦＦにさせる命令である請求項４に記載の制御装置。
【請求項６】
前記命令は、前記撮像装置をスタンバイ状態にさせる命令である請求項４に記載の制御装置。
【請求項７】
前記命令は、前記撮像モジュールによる撮像を制限する命令である請求項４に記載の制御装置。
【請求項８】
前記命令は、前記撮像モジュールによる撮像の実行を無効にさせる命令である請求項７に記載の制御装置。
【請求項９】
前記命令は、前記第１の通信インターフェースをスタンバイ状態にさせる命令である請求項４に記載の制御装置。
【請求項１０】
前記撮像装置はさらに、発光モジュールを有し、
前記命令は、前記撮像モジュールによる撮像に連動した前記発光モジュールによる発光を制限する命令である請求項４に記載の制御装置。
【請求項１１】
前記撮像装置はさらに、録音モジュールを有し、
前記命令は、前記撮像モジュールによる撮像に連動した前記録音モジュールによる録音を制限する命令である請求項４に記載の制御装置。
【請求項１２】
前記撮像装置はさらに、発音モジュールを有し、
前記命令は、前記撮像モジュールによる撮像に連動した前記発音モジュールによる発音を制限する命令である請求項４に記載の制御装置。
【請求項１３】
前記撮像装置にレンズが搭載され、
前記命令は、前記レンズの機能を制限する命令である請求項４に記載の制御装置。
【請求項１４】
前記命令は、前記レンズのバリヤを閉じる命令である請求項１３に記載の制御装置。
【請求項１５】
前記命令は、前記レンズを沈胴させる命令である請求項１３に記載の制御装置。
【請求項１６】
前記撮像装置はさらに、前記撮影に係る機能が制限されていることをユーザに報知する報知部を有し、
前記命令は、前記撮像装置において前記撮影に係る機能が制限されていることを前記報知部に報知させる命令である請求項４に記載の制御装置。
【請求項１７】
前記撮像装置はさらに、前記撮像モジュールによる撮像の指示を入力する操作インターフェースを有し、
前記命令は、前記操作インターフェースを介した前記撮像の指示の入力を無効にする命令である請求項４に記載の制御装置。
【請求項１８】
前記撮像装置はさらに、前記撮像モジュールによって生成された画像データを記憶する画像記憶モジュールを有し、
前記命令は、前記撮像モジュールが撮像を停止している状態で、前記画像記憶モジュールが記憶している画像データを前記制御装置に送信するモードで前記撮像装置を動作させる命令である請求項４に記載の制御装置。
【請求項１９】
前記撮像装置はさらに、前記撮像モジュールによって生成された画像データを処理する画像処理部を有し、
前記命令は、前記画像処理部が処理した画像データの画質を所定の画質未満に制限する命令である請求項４に記載の制御装置。
【請求項２０】
前記第２の通信インターフェースはさらに、画像データの画質を所定の画質以上に設定するキーを記憶する外部装置と通信を行い、
前記第２の通信インターフェースは、前記外部装置から前記キーを受信した場合、受信された前記キーを前記撮像装置に送信する請求項１９に記載の制御装置。
【請求項２１】
前記機能制限部は、前記機能を制限する際、前記第２の通信インターフェースに対して、前記撮像装置との通信を禁止する請求項１に記載の制御装置。
【請求項２２】
前記機能制限部は、前記機能を制限する際、前記撮像装置から受信される画像データの利用を禁止する請求項１に記載の制御装置。
【請求項２３】
前記第２の通信インターフェースはさらに、画像データを記憶する外部装置と通信を行い、
前記機能制限部はさらに、前記機能を制限する際、前記第２の通信インターフェースに対して、前記外部装置から前記画像データを受信させる請求項２１または請求項２２に記載の制御装置。
【請求項２４】
前記機能制限部は、前記機能を制限する際、前記撮像装置における撮影に係る機能を実行する命令の送信を無効にする請求項１に記載の制御装置。
【請求項２５】
撮像装置と、制御装置と、を有し、
前記撮像装置は、
撮像モジュールと、
第１の通信インターフェースと、
を有し、
前記制御装置は、
前記撮像装置と通信を行う第２の通信インターフェースと、
情報を報知する報知インターフェースと、
前記撮像装置と前記制御装置とが接触しているか否か、または、前記撮像装置と前記制御装置との通信接続が確立されているか否かを判定する判定部と、
前記撮像装置と前記制御装置とが接触していないと判定された場合、または前記撮像装置と前記制御装置との通信接続が確立されていないと判定された場合、撮影に係る機能のうち前記制御装置の位置において制限される機能の情報を前記報知インターフェースに報知させる報知制御部と、
前記撮像装置と前記制御装置とが接触していると判定された場合、または前記撮像装置と前記制御装置との通信接続が確立されていると判定された場合、前記撮影に係る機能のうち前記制御装置の位置において制限される機能を制限する機能制限部と、
を有する撮像システム。
【請求項２６】
前記撮像装置はさらに、情報を表示する表示インターフェースを有し、
前記第１の通信インターフェースは、前記撮像装置における撮影に係る機能を制限する命令を前記制御装置から受信し、
前記表示インターフェースは、前記命令が受信された場合、前記機能が制限されていることを示す情報を表示し、
前記機能制限部は、前記機能を制限する際、前記第２の通信インターフェースに対して、前記撮像装置における撮影に係る機能を制限する命令を前記撮像装置へ送信させる請求項２５に記載の撮像システム。
【請求項２７】
撮像モジュールと第１の通信インターフェースとを有する撮像装置と、前記撮像装置と通信を行う第２の通信インターフェースと情報を報知する報知インターフェースとを有する制御装置とが接触しているか否か、または、前記撮像装置と前記制御装置との通信接続が確立されているか否かを判定部が判定するステップと、
前記撮像装置と前記制御装置とが接触していないと判定された場合、または前記撮像装置と前記制御装置との通信接続が確立されていないと判定された場合、撮影に係る機能のうち前記制御装置の位置において制限される機能の情報を報知制御部が前記報知インターフェースに報知させるステップと、
前記撮像装置と前記制御装置とが接触していると判定された場合、または前記撮像装置と前記制御装置との通信接続が確立されていると判定された場合、前記撮影に係る機能のうち前記制御装置の位置において制限される機能を機能制限部が制限するステップと、
を有する撮像制御方法。
【請求項２８】
撮像モジュールと第１の通信インターフェースとを有する撮像装置と、前記撮像装置と通信を行う第２の通信インターフェースと情報を報知する報知インターフェースとを有する制御装置とが接触しているか否か、または、前記撮像装置と前記制御装置との通信接続が確立されているか否かを判定するステップと、
前記撮像装置と前記制御装置とが接触していないと判定された場合、または前記撮像装置と前記制御装置との通信接続が確立されていないと判定された場合、撮影に係る機能のうち前記制御装置の位置において制限される機能の情報を前記報知インターフェースに報知させるステップと、
前記撮像装置と前記制御装置とが接触していると判定された場合、または前記撮像装置と前記制御装置との通信接続が確立されていると判定された場合、前記撮影に係る機能のうち前記制御装置の位置において制限される機能を制限するステップと、
をコンピュータに実行させるためのプログラム。
【発明の詳細な説明】
【技術分野】
【０００１】
本発明は、撮像装置をリモート制御する技術に関する。
【背景技術】
【０００２】
携帯機器等を使用して撮像装置をリモート制御する技術がある。また、撮像装置の機能の一部を制限する技術がある。
【０００３】
例えば、特許文献１には、カメラを有する携帯端末装置の撮影機能を制限する技術が開示されている。この技術では、撮影開始時等のタイミングで、エリアに応じた機能の規制が行われる。
【０００４】
また、特許文献２には、デジタルカメラの位置に応じてデジタルカメラの機能を制限する技術が開示されている。この技術では、制限される機能の登録と解除とが可能である。
【先行技術文献】
【特許文献】
【０００５】
【特許文献１】特開２００２−２７５５４号公報
【特許文献２】特許第３６４１９３４号公報
【発明の概要】
【発明が解決しようとする課題】
【０００６】
撮像装置と制御装置とが別々に存在するシステムで撮影を行う場合、撮像装置を単体で使用する場合とは異なる準備が必要である。例えば、撮影前に撮像装置と制御装置とを接触させる、あるいは撮像装置と制御装置とを近付ける必要がある。また、撮像装置と制御装置との間で通信接続を確立する必要があり、この通信接続の確立には時間がかかる。撮影のための準備が終了した後、撮影に係る機能の制限により撮影不可能であること等が判明すると、準備に要した手間や時間が無駄になる。
【０００７】
本発明は、撮影に係る機能が制限される場合の準備に要する手間や時間を削減する技術を提供する。
【課題を解決するための手段】
【０００８】
本発明は、制御装置であって、撮像モジュールと、第１の通信インターフェースと、を有する撮像装置と通信を行う第２の通信インターフェースと、情報を報知する報知インターフェースと、前記撮像装置と前記制御装置とが接触しているか否か、または、前記撮像装置と前記制御装置との通信接続が確立されているか否かを判定する判定部と、前記撮像装置と前記制御装置とが接触していないと判定された場合、または前記撮像装置と前記制御装置との通信接続が確立されていないと判定された場合、撮影に係る機能のうち前記制御装置の位置において制限される機能の情報を前記報知インターフェースに報知させる報知制御部と、前記撮像装置と前記制御装置とが接触していると判定された場合、または前記撮像装置と前記制御装置との通信接続が確立されていると判定された場合、前記撮影に係る機能のうち前記制御装置の位置において制限される機能を制限する機能制限部と、を有する制御装置である。
【０００９】
また、本発明は、撮像装置と、制御装置と、を有し、前記撮像装置は、撮像モジュールと、第１の通信インターフェースと、を有し、前記制御装置は、前記撮像装置と通信を行う第２の通信インターフェースと、情報を報知する報知インターフェースと、前記撮像装置と前記制御装置とが接触しているか否か、または、前記撮像装置と前記制御装置との通信接続が確立されているか否かを判定する判定部と、前記撮像装置と前記制御装置とが接触していないと判定された場合、または前記撮像装置と前記制御装置との通信接続が確立されていないと判定された場合、撮影に係る機能のうち前記制御装置の位置において制限される機能の情報を前記報知インターフェースに報知させる報知制御部と、前記撮像装置と前記制御装置とが接触していると判定された場合、または前記撮像装置と前記制御装置との通信接続が確立されていると判定された場合、前記撮影に係る機能のうち前記制御装置の位置において制限される機能を制限する機能制限部と、を有する撮像システムである。
【００１０】
また、本発明は、撮像モジュールと第１の通信インターフェースとを有する撮像装置と、前記撮像装置と通信を行う第２の通信インターフェースと情報を報知する報知インターフェースとを有する制御装置とが接触しているか否か、または、前記撮像装置と前記制御装置との通信接続が確立されているか否かを判定部が判定するステップと、前記撮像装置と前記制御装置とが接触していないと判定された場合、または前記撮像装置と前記制御装置との通信接続が確立されていないと判定された場合、撮影に係る機能のうち前記制御装置の位置において制限される機能の情報を報知制御部が前記報知インターフェースに報知させるステップと、前記撮像装置と前記制御装置とが接触していると判定された場合、または前記撮像装置と前記制御装置との通信接続が確立されていると判定された場合、前記撮影に係る機能のうち前記制御装置の位置において制限される機能を機能制限部が制限するステップと、を有する撮像制御方法である。
【００１１】
また、本発明は、撮像モジュールと第１の通信インターフェースとを有する撮像装置と、前記撮像装置と通信を行う第２の通信インターフェースと情報を報知する報知インターフェースとを有する制御装置とが接触しているか否か、または、前記撮像装置と前記制御装置との通信接続が確立されているか否かを判定するステップと、前記撮像装置と前記制御装置とが接触していないと判定された場合、または前記撮像装置と前記制御装置との通信接続が確立されていないと判定された場合、撮影に係る機能のうち前記制御装置の位置において制限される機能の情報を前記報知インターフェースに報知させるステップと、前記撮像装置と前記制御装置とが接触していると判定された場合、または前記撮像装置と前記制御装置との通信接続が確立されていると判定された場合、前記撮影に係る機能のうち前記制御装置の位置において制限される機能を制限するステップと、をコンピュータに実行させるためのプログラムである。
【発明の効果】
【００１２】
本発明によれば、撮像装置と制御装置とが接触していないと判定された場合、または撮像装置と制御装置との通信接続が確立されていないと判定された場合、制御装置の位置において制限される機能の情報が報知される。つまり、撮像装置と制御装置とが接触する前、あるいは撮像装置と制御装置との通信接続が確立される前に、制限される機能の情報が報知されるので、撮影に係る機能が制限される場合の準備に要する手間や時間を削減することができる。
【図面の簡単な説明】
【００１３】
【図１】本発明の第１の実施形態による撮像システムの構成例を示すブロック図である。
【図２】本発明の第１の実施形態による制御装置の第１の動作の手順の例を示すフローチャートである。
【図３】本発明の第１の実施形態による制御装置の第２の動作の手順の例を示すフローチャートである。
【図４】本発明の第２の実施形態による撮像システムの構成例を示すブロック図である。
【図５】本発明の第２の実施形態による撮像システムの具体的な構成例を示す外観図である。
【図６】本発明の第２の実施形態による撮像装置の構成例を示すブロック図である。
【図７】本発明の第２の実施形態による制御装置の動作の手順の例を示すフローチャートである。
【図８】本発明の第２の実施形態における制限情報の例を示す参考図である。
【図９】本発明の第２の実施形態による制御装置の第１の動作の手順の例を示すフローチャートである。
【図１０】本発明の第２の実施形態による制御装置の第２の動作の手順の例を示すフローチャートである。
【図１１】本発明の第２の実施形態の第１の変形例における制限情報の例を示す参考図である。
【図１２】本発明の第２の実施形態の第２の変形例による制御装置の動作の手順の例を示すフローチャートである。
【図１３】本発明の第３の実施形態による撮像システムの構成例を示すブロック図である。
【図１４】本発明の第３の実施形態による制御装置の動作の手順の例を示すフローチャートである。
【図１５】本発明の第４の実施形態による撮像装置の構成例を示すブロック図である。
【図１６】本発明の第４の実施形態による制御装置の動作の手順の例を示すフローチャートである。
【図１７】本発明の第４の実施形態による制御装置の動作の手順の例を示すフローチャートである。
【図１８】本発明の第６の実施形態による撮像システムの構成例を示す外観図である。
【図１９】本発明の第６の実施形態において、撮像時のレンズの状態を示す外観図である。
【図２０】本発明の第６の実施形態において、非撮像時のレンズの状態を示す外観図である。
【図２１】本発明の第６の実施形態による制御装置の動作の手順の例を示すフローチャートである。
【図２２】本発明の第７の実施形態による撮像装置の構成例を示すブロック図である。
【図２３】本発明の第７の実施形態による制御装置の動作の手順の例を示すフローチャートである。
【図２４】本発明の第８の実施形態による撮像システムの構成例を示す外観図である。
【図２５】本発明の第８の実施形態による撮像装置の構成例を示すブロック図である。
【図２６】本発明の第１の実施形態による制御装置の表示インターフェースが表示する情報の例を示す参考図である。
【図２７】本発明の第１の実施形態による制御装置の表示インターフェースが表示する情報の例を示す参考図である。
【図２８】本発明の第１の実施形態による制御装置の表示インターフェースが表示する情報の例を示す参考図である。
【図２９】本発明の第４の実施形態による制御装置の動作の手順の例を示すフローチャートである。
【図３０】本発明の第５の実施形態による制御装置の動作の手順の例を示すフローチャートである。
【発明を実施するための形態】
【００１４】
以下、図面を参照し、本発明の実施形態を説明する。以下の各実施形態における撮影は、撮像装置が有する撮像モジュールによる撮像と、撮像に連動した各種処理とを含む。
【００１５】
（第１の実施形態）
まず、本発明の第１の実施形態を説明する。図１は、本実施形態による撮像システムの構成例を示している。図１に示す撮像システムは、撮像装置１０と、制御装置２０とを有する。
【００１６】
撮像装置１０は、撮像モジュール１００と、第１の通信インターフェース１０１とを有する。撮像モジュール１００（撮像デバイス）は、撮像を行い、画像データを生成する。第１の通信インターフェース１０１（第１の通信モジュール、第１の通信デバイス）は、制御装置２０と通信を行う。例えば、第１の通信インターフェース１０１は、撮像モジュール１００によって生成された画像データを制御装置２０に送信し、撮像装置１０の機能の制御に係る命令を制御装置２０から受信し、受信された命令を撮像モジュール１００に伝達する。撮像装置１０の機能の制御に係る命令は、通信接続の確立・切断に係る命令、撮像の実行に係る命令、モードの設定・変更に係る命令、撮像装置１０の電源のＯＮ・ＯＦＦに係る命令等である。
【００１７】
制御装置２０は、第２の通信インターフェース２００（第２の通信モジュール、第２の通信デバイス）と、報知インターフェース２０１（報知モジュール、報知デバイス）と、判定部２０２と、報知制御部２０３と、機能制限部２０４とを有する。第２の通信インターフェース２００は、撮像装置１０と通信を行う。例えば、第２の通信インターフェース２００は、画像データを撮像装置１０から受信し、撮像装置１０の機能の制御に係る命令を撮像装置１０に送信する。第１の通信インターフェース１０１と第２の通信インターフェース２００とによって行われる、撮像装置１０と制御装置２０との通信は、無線通信と有線通信とのどちらであってもよい。
【００１８】
報知インターフェース２０１は、情報を報知する。報知インターフェース２０１は、情報を表示する表示インターフェース、音を発生する発音モジュール、振動を発生する信号発生モジュール等のいずれであってもよい。報知インターフェース２０１が報知する情報は、制限されている機能の内容を具体的に示す情報であってもよいし、撮影に係る何らかの機能が制限されていることのみを示す情報であってもよい。報知インターフェース２０１が報知する情報は、撮影に係る機能の制限を解除するか否かの確認をユーザに促す情報を含んでいてもよい。
【００１９】
判定部２０２は、撮像装置１０と制御装置２０とが接触しているか否か、または、撮像装置１０と制御装置２０との通信接続が確立されているか否かを判定する。より具体的には、撮像装置１０と制御装置２０とが接触している状態が継続中であるか否か、または、撮像装置１０と制御装置２０との通信接続が継続中であるか否か（通信接続により通信可能な状態が継続中であるか否か）を判定する。
【００２０】
撮像装置１０と制御装置２０とが接触していると判定される状態において撮像装置１０と制御装置２０とが直接接触しなくてもよい。例えば、スマートフォンのアクセサリカバーのような補助部材を介して撮像装置１０と制御装置２０とが接触してもよい。また、撮像装置１０に対して制御装置２０が固定されてもよい。言い換えると、撮像装置１０と制御装置２０との相対位置が固定されてもよい。例えば、撮像装置１０と制御装置２０とが直接接触し、それらの相対位置が固定されてもよい。あるいは、撮像装置１０と制御装置２０との間に補助部材が挿入され、撮像装置１０と補助部材とが直接接触し、それらの相対位置が固定されると共に、制御装置２０と補助部材とが直接接触し、それらの相対位置が固定されてもよい。
【００２１】
報知制御部２０３は、撮像装置１０と制御装置２０とが接触していないと判定された場合、または撮像装置１０と制御装置２０との通信接続が確立されていないと判定された場合、撮影に係る機能のうち制御装置２０の位置（制御装置２０が存在している位置）において制限される機能の情報を報知インターフェース２０１に報知させる。より具体的には、報知制御部２０３は、撮像装置１０と制御装置２０とが接触していない状態が継続中であると判定された場合、または撮像装置１０と制御装置２０との通信接続が確立されていない状態が継続中であると判定された場合、撮影に係る機能のうち制御装置２０の位置において制限される機能の情報を報知インターフェース２０１に報知させる。
【００２２】
例えば、報知インターフェース２０１が表示インターフェースである場合、報知制御部２０３は、表示される情報に対応する文字、図形、パターン等の情報を報知インターフェース２０１に出力する。あるいは、報知インターフェース２０１が発音モジュールである場合、報知制御部２０３は、出力される音に対応する音データを報知インターフェース２０１に出力する。あるいは、報知インターフェース２０１が振動発生モジュールである場合、報知制御部２０３は、発生する振動に対応する振動パターンデータを報知インターフェース２０１に出力する。
【００２３】
機能制限部２０４は、撮像装置１０と制御装置２０とが接触していると判定された場合、または撮像装置１０と制御装置２０との通信接続が確立されていると判定された場合、撮影に係る機能のうち制御装置２０の位置において制限される機能を制限する。より具体的には、機能制限部２０４は、撮像装置１０と制御装置２０とが接触している状態が継続中であると判定された場合、または撮像装置１０と制御装置２０との通信接続が継続中であると判定された場合、撮影に係る機能のうち制御装置２０の位置において制限される機能を制限する。撮影に係る機能を制限しないことをユーザが選択した場合、撮影に係る機能の制限が解除されてもよい。
【００２４】
制御装置２０は、制御装置２０の動作を制御するためのプログラムや必要なデータを記憶する記憶モジュール（記憶デバイス）を有していてもよい。判定部２０２と、報知制御部２０３と、機能制限部２０４との機能は、例えばＣＰＵ（Central Processing Unit）等の制御モジュール（制御デバイス）の動作を制御するためのプログラムを、制御装置２０のコンピュータが読み込んで実行することにより、ソフトウェアの機能として実現可能である。また、このプログラムは、例えばフラッシュメモリのような「コンピュータ読み取り可能な記録媒体」により提供されてもよい。また、上述したプログラムは、このプログラムを記憶装置等に格納したコンピュータから、伝送媒体を介して、あるいは伝送媒体中の伝送波により制御装置２０に伝送されることで制御装置２０に入力されてもよい。ここで、プログラムを伝送する「伝送媒体」は、インターネット等のネットワーク（通信網）や電話回線等の通信回線（通信線）のように、情報を伝送する機能を有する媒体である。また、上述したプログラムは、前述した機能の一部を実現してもよい。さらに、上述したプログラムは、前述した機能をコンピュータに既に記録されているプログラムとの組合せで実現できる、いわゆる差分ファイル（差分プログラム）であってもよい。
【００２５】
次に、制御装置２０の動作を説明する。以下では２つの動作を説明する。
【００２６】
第１の動作
図２は、制御装置２０の第１の動作の手順の例を示している。図２を参照して、制御装置２０の第１の動作を説明する。
【００２７】
判定部２０２は、撮像装置１０と制御装置２０とが接触しているか否かを判定する（ステップＳ１００）。撮像装置１０と制御装置２０とが接触していると判定された場合、ステップＳ１０３の処理が行われる。あるいは、撮像装置１０と制御装置２０とが接触していない状態となるまで待ってもよい。また、撮像装置１０と制御装置２０とが接触していないと判定された場合、報知制御部２０３は、撮影に係る機能のうち制御装置２０の位置において制限される機能の情報を報知インターフェース２０１に報知させる（ステップＳ１０１）。これによって、報知インターフェース２０１は、撮影に係る機能のうち制御装置２０の位置において制限される機能の情報を報知する。
【００２８】
続いて、判定部２０２は、撮像装置１０と制御装置２０とが接触しているか否かを判定する（ステップＳ１０２）。撮像装置１０と制御装置２０とが接触していないと判定された場合、判定部２０２は、判定を継続する。また、撮像装置１０と制御装置２０とが接触していると判定された場合、機能制限部２０４は、撮影に係る機能のうち制御装置２０の位置において制限される機能を制限する（ステップＳ１０３）。ステップＳ１０３では、制限される機能がある場合に機能が制限されるが、制限される機能がない場合には機能が制限されない。ステップＳ１０３で機能が制限された後、処理が終了する。
【００２９】
第２の動作
図３は、制御装置２０の第２の動作の手順の例を示している。図３を参照して、制御装置２０の第２の動作を説明する。
【００３０】
判定部２０２は、撮像装置１０と制御装置２０との通信接続が確立されているか否かを判定する（ステップＳ１１０）。撮像装置１０と制御装置２０との通信接続が確立されていると判定された場合、ステップＳ１０３の処理が行われる。あるいは、撮像装置１０と制御装置２０との通信接続が切断された状態となるまで待ってもよい。あるいは、撮像装置１０と制御装置２０との通信接続を強制的に切断してもよい。また、撮像装置１０と制御装置２０との通信接続が確立されていないと判定された場合、報知制御部２０３は、撮影に係る機能のうち制御装置２０の位置において制限される機能の情報を報知インターフェース２０１に報知させる（ステップＳ１０１）。これによって、報知インターフェース２０１は、撮影に係る機能のうち制御装置２０の位置において制限される機能の情報を報知する。
【００３１】
続いて、判定部２０２は、撮像装置１０と制御装置２０との通信接続が確立されているか否かを判定する（ステップＳ１１１）。撮像装置１０と制御装置２０との通信接続が確立されていないと判定された場合、判定部２０２は、判定を継続する。また、撮像装置１０と制御装置２０との通信接続が確立されていると判定された場合、機能制限部２０４は、撮影に係る機能のうち制御装置２０の位置において制限される機能を制限する（ステップＳ１０３）。ステップＳ１０３では、制限される機能がある場合に機能が制限されるが、制限される機能がない場合には機能が制限されない。ステップＳ１０３で機能が制限された後、処理が終了する。
【００３２】
本実施形態によれば、制御装置２０であって、撮像モジュール１００と、第１の通信インターフェース１０１と、を有する撮像装置１０と通信を行う第２の通信インターフェース２００と、情報を報知する報知インターフェース２０１と、撮像装置１０と制御装置２０とが接触しているか否か、または、撮像装置１０と制御装置２０との通信接続が確立されているか否かを判定する判定部２０２と、撮像装置１０と制御装置２０とが接触していないと判定された場合、または撮像装置１０と制御装置２０との通信接続が確立されていないと判定された場合、撮影に係る機能のうち制御装置２０の位置において制限される機能の情報を報知インターフェース２０１に報知させる報知制御部２０３と、撮像装置１０と制御装置２０とが接触していると判定された場合、または撮像装置１０と制御装置２０との通信接続が確立されていると判定された場合、撮影に係る機能のうち制御装置２０の位置において制限される機能を制限する機能制限部２０４と、を有する制御装置２０が構成される。
【００３３】
また、本実施形態によれば、撮像装置１０と、制御装置２０と、を有し、撮像装置１０は、撮像モジュール１００と、第１の通信インターフェース１０１と、を有し、制御装置２０は、撮像装置１０と通信を行う第２の通信インターフェース２００と、情報を報知する報知インターフェース２０１と、撮像装置１０と制御装置２０とが接触しているか否か、または、撮像装置１０と制御装置２０との通信接続が確立されているか否かを判定する判定部２０２と、撮像装置１０と制御装置２０とが接触していないと判定された場合、または撮像装置１０と制御装置２０との通信接続が確立されていないと判定された場合、撮影に係る機能のうち制御装置２０の位置において制限される機能の情報を報知インターフェース２０１に報知させる報知制御部２０３と、撮像装置１０と制御装置２０とが接触していると判定された場合、または撮像装置１０と制御装置２０との通信接続が確立されていると判定された場合、撮影に係る機能のうち制御装置２０の位置において制限される機能を制限する機能制限部２０４と、を有する撮像システムが構成される。
【００３４】
また、本実施形態によれば、撮像モジュール１００と第１の通信インターフェース１０１とを有する撮像装置１０と、撮像装置１０と通信を行う第２の通信インターフェース２００と情報を報知する報知インターフェース２０１とを有する制御装置２０とが接触しているか否か、または、撮像装置１０と制御装置２０との通信接続が確立されているか否かを判定部２０２が判定するステップＳ１００，Ｓ１０２，Ｓ１１０，Ｓ１１１と、撮像装置１０と制御装置２０とが接触していないと判定された場合、または撮像装置１０と制御装置２０との通信接続が確立されていないと判定された場合、撮影に係る機能のうち制御装置２０の位置において制限される機能の情報を報知制御部２０３が報知インターフェース２０１に報知させるステップＳ１０１と、撮像装置１０と制御装置２０とが接触していると判定された場合、または撮像装置１０と制御装置２０との通信接続が確立されていると判定された場合、撮影に係る機能のうち制御装置２０の位置において制限される機能を機能制限部２０４が制限するステップＳ１０３と、を有する撮像制御方法が構成される。
【００３５】
また、本実施形態によれば、撮像モジュール１００と第１の通信インターフェース１０１とを有する撮像装置１０と、撮像装置１０と通信を行う第２の通信インターフェース２００と情報を報知する報知インターフェース２０１とを有する制御装置２０とが接触しているか否か、または、撮像装置１０と制御装置２０との通信接続が確立されているか否かを判定するステップＳ１００，Ｓ１０２，Ｓ１１０，Ｓ１１１と、撮像装置１０と制御装置２０とが接触していないと判定された場合、または撮像装置１０と制御装置２０との通信接続が確立されていないと判定された場合、撮影に係る機能のうち制御装置２０の位置において制限される機能の情報を報知インターフェース２０１に報知させるステップＳ１０１と、撮像装置１０と制御装置２０とが接触していると判定された場合、または撮像装置１０と制御装置２０との通信接続が確立されていると判定された場合、撮影に係る機能のうち制御装置２０の位置において制限される機能を制限するステップＳ１０３と、をコンピュータに実行させるためのプログラムが構成される。
【００３６】
本実施形態では、撮像装置１０と制御装置２０とが接触する前、あるいは撮像装置１０と制御装置２０との通信接続が確立される前に、制限される機能の情報が報知される。このため、例えば撮影のための準備が終了する前に、機能が制限されることをユーザが認識し、撮影のための準備をユーザが中止することが可能となる。よって、撮影に係る機能が制限される場合の準備に要する手間や時間を削減することができる。
【００３７】
撮影が禁止されている場所などで撮影に係る機能が制限される場合がある。従来、撮像装置と制御装置とを接触させる、あるいは撮像装置と制御装置とを近付けることにより、撮影に係る機能の制限があるにもかかわらず、周囲から撮影の意思があるとみなされ、ユーザが係員に咎められるなど実用的でない状況があった。本実施形態では、撮影に係る機能の制限があるにもかかわらず、ユーザが撮影の準備をすることにより周囲から撮影の意思があるとみなされ、ユーザが係員に咎められることはない。
【００３８】
（第２の実施形態）
次に、本発明の第２の実施形態を説明する。図４は、本実施形態による撮像システムの構成例を示している。図４に示す撮像システムは、撮像装置１０と、制御装置２１とを有する。撮像装置１０の構成については、既に説明したので、説明を省略する。
【００３９】
制御装置２１は、第２の通信インターフェース２００と、報知インターフェース２０１と、判定部２０２と、報知制御部２０３と、機能制限部２０４と、位置情報取得モジュール２０５と、記憶モジュール２０６とを有する。既に説明した構成については説明を省略する。
【００４０】
位置情報取得モジュール２０５は、制御装置２０の位置を示す第１の位置情報を取得する。例えば、位置情報取得モジュール２０５は、自律測位を行うＧＰＳ（Global Positioning System）センサである。あるいは、位置情報取得モジュール２０５は、第２の通信インターフェース２００を介して周囲の装置（アクセスポイント等）と通信を行い、その通信の結果から制御装置２０の第１の位置情報を取得してもよい。記憶モジュール２０６は、第２の位置情報と、撮影に係る機能のうち第２の位置情報が示す位置において制限される機能を示す機能情報とが関連付けられた制限情報を記憶する。
【００４１】
本実施形態では、報知制御部２０３は、制御装置２０の位置において制限される機能の情報を報知インターフェース２０１に報知させる際、第１の位置情報に対応する第２の位置情報と関連付けられて記憶モジュール２０６に記憶されている機能情報に対応する情報を報知インターフェース２０１に報知させる。機能制限部２０４は、制御装置２０の位置において制限される機能を制限する際、第１の位置情報に対応する第２の位置情報と関連付けられて記憶モジュール２０６に記憶されている機能情報が示す機能を制限する。
【００４２】
図４に示す構成以外の構成は本実施形態の特徴的な構成でない。つまり、図４に示す構成以外の構成は、撮影に係る機能が制限される場合の準備に要する手間や時間を削減するために必須の構成ではない。
【００４３】
以下では、図４に示す撮像システムのより具体的な例を説明する。図５は、本実施形態による撮像システムの具体的な構成例を示している。図５に示す撮像システムは、撮像装置１０ａと、制御装置２１ａと、レンズ３０ａと、カバー４０ａとを有する。
【００４４】
図５では撮像装置１０ａの表面の構成は特に示されていないが、電源スイッチやレリーズボタン等が撮像装置１０ａの表面に配置されていてもよい。レンズ３０ａが撮像装置１０ａに搭載され、撮像装置１０ａとレンズ３０ａとが電気的に接続されている。レンズ３０ａは撮像装置１０ａと一体化されていてもよいし、一体化されていなくてもよい。
【００４５】
制御装置２１ａはスマートフォン等の携帯端末である。制御装置２１ａの表面にはディスプレイ２１０が配置されている。例えば、ディスプレイ２１０は、撮像装置１０ａから受信された画像データに基づく画像を表示する。ディスプレイ２１０を報知インターフェース２０１として用いてもよい。制御装置２１ａの端部には、カバー４０ａと電気的に接続するためのイヤホンジャック２１１が配置されている。
【００４６】
例えば、カバー４０ａは、スマートフォンのアクセサリカバーである。カバー４０ａを制御装置２１ａに接触させて固定することが可能である。また、撮像装置１０ａをカバー４０ａに接触させて固定することが可能である。つまり、カバー４０ａを介して、撮像装置１０ａと制御装置２１ａとを接触させて固定することが可能である。
【００４７】
カバー４０ａにおいて、撮像装置１０ａが搭載される位置に、装置検出スイッチ４００が配置されている。装置検出スイッチ４００は、撮像装置１０ａとカバー４０ａとの接触を検出する。装置検出スイッチ４００は、撮像装置１０ａとカバー４０ａとが接触している場合に、接触状態を示す信号を出力する。カバー４０ａの端部には、制御装置２１ａと電気的に接続するための接続端子４０１が配置されている。装置検出スイッチ４００と接続端子４０１とは電気的に接続されている。また、接続端子４０１とイヤホンジャック２１１とは、ケーブル等を介して電気的に接続される。撮像装置１０ａとカバー４０ａとが接触しているときに装置検出スイッチ４００から出力された信号は、接続端子４０１を経由してイヤホンジャック２１１に入力される。
【００４８】
このような構成のため、例えばカバー４０ａと制御装置２１ａとが接触している状態において、撮像装置１０ａがカバー４０ａに取り付けられた場合に、制御装置２１ａは、装置検出スイッチ４００、接続端子４０１、イヤホンジャック２１１を介して、瞬時に撮像装置１０ａの接触を検出することができる。
【００４９】
イヤホンジャック２１１の代わりにＵＳＢ端子等を用いてもよい。あるいは、制御装置２１ａが撮像モジュールを有する場合に、その撮像モジュールが生成した画像データを用いて、撮像装置１０ａと制御装置２１ａとが接触しているか否かを判定してもよい。例えば、撮像装置１０ａが制御装置２１ａに接触して固定されたときに制御装置２１ａが撮像した画像において所定の領域が撮像装置１０ａによって覆われている場合に、撮像装置１０ａと制御装置２１ａとが接触していると判定される。
【００５０】
図５に示す撮像システムでは、撮像装置１０ａとの制御装置２１ａとの接触状態を検出するためのイヤホンジャック２１１、装置検出スイッチ４００、接続端子４０１が設けられているが、撮像装置１０ａと制御装置２１ａとの通信接続が確立されているか否かを判定した結果に基づいて撮影に係る機能の制限を行う場合には、イヤホンジャック２１１、装置検出スイッチ４００、接続端子４０１が設けられていなくてもよい。
【００５１】
図６は撮像装置１０ａの構成例を示している。撮像装置１０ａは、撮像モジュール１００と、第１の通信インターフェース１０１と、発光モジュール１０２と、録音モジュール１０３と、発音モジュール１０４と、操作インターフェース１０８とを有する。既に説明した構成については説明を省略する。
【００５２】
発光モジュール１０２は、撮像モジュール１００による撮像と連動して（撮像とほぼ同時に）発光する。録音モジュール１０３は、撮像モジュール１００による撮像と連動して（撮像とほぼ同時に）、外部から入力された音に応じた音データを生成する。例えば、動画撮影と同時に録音が行われるとき、録音モジュール１０３が機能する。発音モジュール１０４は、撮像モジュール１００による撮像と連動して（撮像とほぼ同時に）シャッター音等の音を出力する。操作インターフェース１０８は、撮像モジュール１００による撮像の指示を入力するレリーズボタン、電源のＯＮ・ＯＦＦを切り替える電源ボタン等である。
【００５３】
発光モジュール１０２と、録音モジュール１０３と、発音モジュール１０４と、操作インターフェース１０８とは、本実施形態に必須の構成ではない。
【００５４】
発光は、撮影に係る機能の例である。発光が制限される場合を例示するため、発光モジュール１０２が示されている。撮影に係る機能が制限される場合に、発光の制限は必須ではない。したがって、撮像装置１０ａが発光モジュール１０２を備えていなくても、本実施形態は実施可能である。
【００５５】
録音は、撮影に係る機能の例である。録音が制限される場合を例示するため、録音モジュール１０３が示されている。撮影に係る機能が制限される場合に、録音の制限は必須ではない。したがって、撮像装置１０ａが録音モジュール１０３を備えていなくても、本実施形態は実施可能である。
【００５６】
発音は、撮影に係る機能の例である。発音が制限される場合を例示するため、発音モジュール１０４が示されている。撮影に係る機能が制限される場合に、発音の制限は必須ではない。したがって、撮像装置１０ａが発音モジュール１０４を備えていなくても、本実施形態は実施可能である。
【００５７】
操作インターフェース１０８の操作の制限によって撮影に係る機能が制限される場合を例示するため、操作インターフェース１０８が示されている。撮影に係る機能が制限される場合に、操作インターフェース１０８の操作の制限は必須ではない。したがって、撮像装置１０ａが操作インターフェース１０８を備えていなくても、本実施形態は実施可能である。
【００５８】
本実施形態では、機能制限部２０４は、撮影に係る機能を制限する際、第２の通信インターフェース２００に対して、撮像装置１０ａにおける撮影に係る機能を制限する命令を撮像装置１０ａへ送信させる。これによって、第２の通信インターフェース２００は、撮像装置１０ａにおける撮影に係る機能を制限する命令を撮像装置１０ａに送信する。
【００５９】
例えば、撮影に係る機能を制限する命令は、撮像モジュール１００による撮像を制限する命令である。つまり、第２の通信インターフェース２００は、撮像モジュール１００による撮像を制限する命令を撮像装置１０ａに送信する。
【００６０】
例えば、撮像モジュール１００による撮像を制限する命令は、撮像モジュール１００の電源をＯＦＦにさせる命令である。つまり、第２の通信インターフェース２００は、撮像モジュール１００の電源をＯＦＦにさせる命令を撮像装置１０ａに送信する。この命令を受信した撮像装置１０ａの撮像モジュール１００の電源がＯＦＦとなると、撮像は行われない。つまり、撮像自体が制限される。撮像モジュール１００の電源をＯＦＦにさせる命令は、撮像装置１０ａ全体の電源をＯＦＦにさせる命令であってもよい。
【００６１】
撮像モジュール１００による撮像を制限する命令は、撮像モジュール１００をスタンバイ状態（待機状態、スリープ状態）にさせる命令であってもよい。つまり、第２の通信インターフェース２００は、撮像モジュール１００をスタンバイ状態にさせる命令を撮像装置１０ａに送信してもよい。この命令を受信した撮像装置１０ａの撮像モジュール１００がスタンバイ状態となると、撮像は行われない。つまり、撮像自体が制限される。撮像モジュール１００をスタンバイ状態にさせる命令は、撮像装置１０ａ全体をスタンバイ状態にさせる命令であってもよい。一般的に、スタンバイ状態は、通常の状態と比較して、消費する電力が少ない状態である。
【００６２】
撮像モジュール１００による撮像を制限する命令は、撮像モジュール１００による撮像の実行を無効にさせる命令であってもよい。つまり、第２の通信インターフェース２００は、撮像モジュール１００による撮像の実行を無効にさせる命令（撮像モジュール１００による撮像の実行を停止させる命令）を撮像装置１０ａに送信してもよい。この命令を受信した撮像装置１０ａの撮像モジュール１００による撮像の実行が無効となると、撮像は行われない。つまり、撮像自体が制限される。例えば、撮像装置１０ａが、操作インターフェース１０８として、撮像モジュール１００による撮像の指示を入力するレリーズボタンを有する場合、レリーズボタンの操作が無効となる。このため、ユーザがレリーズボタンを操作しても、撮像は行われない。この場合、撮像モジュール１００による撮像の実行を無効にさせる命令は、レリーズボタンを介した撮像の指示の入力を無効にする命令を兼ねる。
【００６３】
撮影に係る機能を制限する命令は、第１の通信インターフェース１０１をスタンバイ状態にさせる命令であってもよい。つまり、第２の通信インターフェース２００は、第１の通信インターフェース１０１をスタンバイ状態にさせる命令を撮像装置１０ａに送信してもよい。この命令を受信した撮像装置１０ａの第１の通信インターフェース１０１がスタンバイ状態となると、撮像装置１０ａから画像データが送信されない。つまり、撮像に連動した画像データの送信が制限される。第１の通信インターフェース１０１をスタンバイ状態にさせる命令は、撮像装置１０ａ全体をスタンバイ状態にさせる命令であってもよい。
【００６４】
撮影に係る機能を制限する命令は、撮像モジュール１００による撮像に連動した発光モジュール１０２による発光を制限する命令（発光を禁止する命令）であってもよい。つまり、第２の通信インターフェース２００は、撮像モジュール１００による撮像に連動した発光モジュール１０２による発光を制限する命令を撮像装置１０ａに送信してもよい。この命令を受信した撮像装置１０ａの発光モジュール１０２による発光が制限されると、暗い場所等では発光することができない。つまり、発光を伴う撮影が制限される。
【００６５】
撮影に係る機能を制限する命令は、撮像モジュール１００による撮像に連動した録音モジュール１０３よる録音を制限する命令（録音を禁止する命令）であってもよい。つまり、第２の通信インターフェース２００は、撮像モジュール１００による撮像に連動した録音モジュール１０３による録音を制限する命令を撮像装置１０ａに送信してもよい。この命令を受信した撮像装置１０ａの録音モジュール１０３による録音が制限されると、映画館やコンサート会場等では録音することができない。つまり、録音を伴う撮影が制限される。
【００６６】
撮影に係る機能を制限する命令は、撮像モジュール１００による撮像に連動した発音モジュール１０４よる発音を制限する命令（発音を禁止する命令）であってもよい。つまり、第２の通信インターフェース２００は、撮像モジュール１００による撮像に連動した発音モジュール１０４による発音を制限する命令を撮像装置１０ａに送信してもよい。この命令を受信した撮像装置１０ａの発音モジュール１０４による発音が制限されると、静寂が要求される場所等では発音することができない。つまり、発音を伴う撮影が制限される。
【００６７】
機能制限部２０４は、撮影に係る機能を制限する際、撮像装置１０ａにおける撮影に係る機能を実行する命令の送信を無効にしてもよい。撮像装置１０ａにおける撮影に係る機能を実行する命令の送信を無効にすることは、撮像装置１０ａにおける撮影に係る機能を実行する命令の送信を停止することと同等である。例えば、撮像制御に係るアプリケーションが制御装置２０で使用可能な場合に、アプリケーションの画面上の撮影ボタンの操作等により撮影指示が入力されても、撮影指示が無効となり、撮影を行う命令は送信されない。つまり、撮像自体が制限される。
【００６８】
機能制限部２０４は、撮影に係る機能を制限する際、第２の通信インターフェース２００に対して、撮像装置１０ａとの通信を禁止してもよい。例えば、撮像装置１０ａとの通信接続が確立されている場合に、機能制限部２０４は、第２の通信インターフェース２００に対して、撮像装置１０ａとの通信接続を切断させ、撮像装置１０ａとの通信接続が切断された状態を保たせる。例えば、撮像制御に係るアプリケーションが制御装置２０で使用可能な場合に、撮像装置１０ａとの通信接続が切断されると、アプリケーションを介して撮影指示が入力されても、撮影を行う命令は送信されない。つまり、撮像自体が制限される。あるいは、撮像装置１０ａとの通信接続が切断されると、撮像に連動した画像データの受信が制限される。機能制限部２０４は、撮像装置１０ａとの通信を禁止するために第２の通信インターフェース２００をスタンバイ状態にさせてもよい。第２の通信インターフェース２００がスタンバイ状態になると、アプリケーションを介して撮影指示が入力されても、撮影を行う命令は送信されない。つまり、撮像自体が制限される。
【００６９】
機能制限部２０４は、撮影に係る機能を制限する際、撮像装置１０ａから受信される画像データの利用（画像データに対する画像処理または画像データに基づく画像の表示等）を禁止してもよい。例えば、機能制限部２０４は、撮像装置１０ａから画像データが受信された場合、受信された画像データを削除する。あるいは、機能制限部２０４は、撮像装置１０ａから画像データが受信された場合、受信された画像データに対して表示アプリケーション等のアプリケーションがアクセスできないように画像データのアクセス権限を変更する。つまり、撮像に連動した画像データの利用が制限される。
【００７０】
次に、制御装置２１ａの動作を説明する。図７は、制御装置２１ａの動作の手順の例を示している。図７を参照して、制御装置２１ａの動作を説明する。
【００７１】
判定部２０２は、撮像装置１０ａと制御装置２１ａとが接触しているか否かを判定する（ステップＳ２００）。図５に示す撮像システムの例では、イヤホンジャック２１１に入力された信号に基づいて、ステップＳ２００における判定が行われる。
【００７２】
撮像装置１０ａと制御装置２１ａとが接触していると判定された場合、ステップＳ２１２，Ｓ２１３の処理が行われる。ステップＳ２１２，Ｓ２１３の処理は、ステップＳ２０１，Ｓ２０２の処理と同様である。ステップＳ２１３の処理が行われた後、ステップＳ２０８の処理が行われる。ステップＳ２０１，Ｓ２０２，Ｓ２０８の処理については後述する。
【００７３】
撮像装置１０ａと制御装置２１ａとが接触していないと判定された場合、位置情報取得モジュール２０５は、制御装置２１ａの位置を示す第１の位置情報を取得する（ステップＳ２０１）。第１の位置情報が取得された後、機能制限部２０４は、記憶モジュール２０６に記憶されている制限情報を参照する（ステップＳ２０２）。
【００７４】
図８は、記憶モジュール２０６に記憶されている制限情報の例を示している。図８に示す例では、制限情報は、複数の情報が関連付けられたテーブルとして構成され、番号と、第２の位置情報と、機能情報と、付加情報とを含む。
【００７５】
番号は、テーブルに含まれる各エントリの識別情報である。番号は制限情報に含まれていなくてもよい。
【００７６】
第２の位置情報は、緯度と、経度と、広さ（半径）とを含む。緯度と経度とで特定される地点を中心とし、広さの数値を半径とする円の内部が、撮影に係る機能が制限される範囲である。第２の位置情報は、撮影に係る機能が制限される位置を示す情報であればよく、図８に示す第２の位置情報に限定されない。
【００７７】
機能情報は、制限される機能の情報である。発光、発音、撮影等の機能毎に機能情報が割り当てられる。
【００７８】
付加情報は、制限情報に対して任意に付加される情報である。図８に示す例では、付加情報は、撮影に係る機能が制限される施設を示している。付加情報は制限情報に含まれていなくてもよい。
【００７９】
ステップＳ２０２に続いて、機能制限部２０４は、制限情報において、ステップＳ２０１で取得された第１の位置情報に対応する第２の位置情報と関連付けられている機能情報を取得する（ステップＳ２０３）。例えば、機能制限部２０４は、制限情報に含まれるそれぞれのエントリについて、第１の位置情報で示される位置が、第２の位置情報で示される範囲に入っているか否かを判定する。第１の位置情報で示される位置が、第２の位置情報で示される範囲に入っている場合、その第２の位置情報と関連付けられている機能情報を選択する。どのエントリについても、第１の位置情報で示される位置が、第２の位置情報で示される範囲に入っていない場合、機能制限部２０４は、機能情報を取得しない。
【００８０】
ステップＳ２０３に続いて、機能制限部２０４は、機能が制限されているか否かを判定する（ステップＳ２０４）。ステップＳ２０３で機能情報が取得された場合、機能制限部２０４は、機能が制限されていると判定する。また、ステップＳ２０３で機能情報が取得されなかった場合、機能制限部２０４は、機能が制限されていないと判定する。
【００８１】
機能が制限されていないと判定された場合、機能制限部２０４は、第２の通信インターフェース２００に対して、撮像装置１０ａと通信接続を確立させ、第２の通信インターフェース２００は撮像装置１０ａと通信接続を確立する（ステップＳ２１１）。
【００８２】
ステップＳ２０４とステップＳ２１１との間で、撮影のためにユーザが撮像装置１０ａと制御装置２１ａとを接触させることが想定される。機能の制限がない場合には特に接触状態を検出する必要が無いので、撮像装置１０ａと制御装置２１ａとが接触したか否かの判定を行っていないが、その判定を行い、通常の制御の際に利用することも可能である。
【００８３】
撮像装置１０ａと通信接続が確立された後、制御装置２１ａによる撮像装置１０ａの通常の制御が行われる。
【００８４】
ステップＳ２０４で機能が制限されていると判定された場合、報知制御部２０３は、報知インターフェース２０１に対して、制限されている機能の情報を報知させ、報知インターフェース２０１はその情報を報知する（ステップＳ２０５）。
【００８５】
制限されている機能の情報が報知された後、機能制限部２０４は、カメラを利用するか否かを判定する（ステップＳ２０６）。例えば、カメラを利用するか否かを示す情報をユーザが入力するための操作インターフェースを制御装置２１ａが備えている場合、報知インターフェース２０１によって情報が報知された後、カメラを利用するか否かを示す情報がユーザによって操作インターフェースを介して制御装置２１ａに入力される。機能制限部２０４は、入力された情報に基づいて、カメラを利用するか否かを判定する。カメラを利用するか否かを規定する設定が予め行われている場合、機能制限部２０４は、その設定の内容に基づいて、カメラを利用するか否かを判定してもよい。その設定が、機能の制限として行われていてもよい。カメラを利用するか否かの判定は、撮影を行うか否かの判定であってもよい。
【００８６】
図２６は、報知インターフェース２０１に対応する表示インターフェース２０１ａが表示する情報の例を示している。例えば、ステップＳ２０５では、図２６に示すように、撮影に係る機能が制限されていることを示す文字列Ａ１が表示インターフェース２０１ａに表示される。また、例えば表示インターフェース２０１ａがタッチパネルである場合には、ステップＳ２０５では、ユーザに確認を促すボタンＢ１が表示インターフェース２０１ａに表示される。例えば、ボタンＢ１が押された場合に処理が先に進む。
【００８７】
図２７は、報知インターフェース２０１に対応する表示インターフェース２０１ａが表示する情報の他の例を示している。例えば、ステップＳ２０５では、図２７に示すように、撮影に係る機能が制限されていることと、機能の制限を解除するか否かを確認する内容とを示す文字列Ａ２が表示インターフェース２０１ａに表示される。また、例えば表示インターフェース２０１ａがタッチパネルである場合には、ステップＳ２０５では、ユーザが機能の制限を解除するか否かを決定するボタンＢ２，Ｂ３が表示インターフェース２０１ａに表示される。例えば、ボタンＢ２が押された場合に機能の制限が解除され、ボタンＢ３が押された場合に機能が制限される。
【００８８】
図２８は、報知インターフェース２０１に対応する表示インターフェース２０１ａが表示する情報の他の例を示している。例えば、ステップＳ２０５では、図２８に示すように、撮影に係る機能が制限されていることと、撮影を行うか否かを確認する内容とを示す文字列Ａ３が表示インターフェース２０１ａに表示される。また、例えば表示インターフェース２０１ａがタッチパネルである場合には、ステップＳ２０５では、ユーザが撮影を行うか否かを決定するボタンＢ４，Ｂ５が表示インターフェース２０１ａに表示される。例えば、ステップＳ２０６では、ボタンＢ４が押された場合に撮影を行うと判定され、ボタンＢ５が押された場合に撮影を行わないと判定される。
【００８９】
撮影を行わないと判定された場合、撮像装置１０ａの制御に関する処理が終了する。この場合、機能制限部２０４が、第２の通信インターフェース２００に対して、撮像装置１０ａの電源をＯＦＦにさせる命令を撮像装置１０ａへ送信させてもよい。
【００９０】
撮影を行うと判定された場合、判定部２０２は、撮像装置１０ａと制御装置２１ａとが接触しているか否かを判定する（ステップＳ２０７）。ステップＳ２０７における判定は、ステップＳ２００における判定と同様である。
【００９１】
撮像装置１０ａと制御装置２１ａとが接触していないと判定された場合、判定部２０２は、判定を継続する。また、撮像装置１０ａと制御装置２１ａとが接触していると判定された場合、機能制限部２０４は、第２の通信インターフェース２００に対して、撮像装置１０ａと通信接続を確立させ、第２の通信インターフェース２００は撮像装置１０ａと通信接続を確立する（ステップＳ２０８）。
【００９２】
撮像装置１０ａと通信接続が確立された後、機能制限部２０４は、後述する機能制限処理を行う（ステップＳ２０９）。機能制限処理によって、ステップＳ２０３で取得された機能情報に対応する、撮影に係る機能が制限される。
【００９３】
機能制限処理が行われた後、報知制御部２０３は、報知インターフェース２０１に対して、制限されている機能の情報を報知させ、報知インターフェース２０１はその情報を報知する（ステップＳ２１０）。制限されている機能の情報が報知された後、制御装置２１ａによる撮像装置１０ａの一部の機能が制限された状態で通常の制御が行われる。
【００９４】
ステップＳ２１０における情報の報知は行われなくてもよい。また、ステップＳ２００において、撮像装置１０ａと制御装置２１ａとが接触していると判定された場合、撮像装置１０ａの機能の制限に係る処理が終了してもよい。あるいは、ステップＳ２００において、撮像装置１０ａと制御装置２１ａとが接触していると判定された場合、撮像装置１０ａと制御装置２１ａとが接触していない状態となるまで待ってもよい。また、ステップＳ２０５で情報が報知された後、ステップＳ２０６における判定を行わずにステップＳ２０７における判定を行ってもよい。
【００９５】
以下では、ステップＳ２０９の機能制限処理における制御装置２１ａの２つの動作を説明する。
【００９６】
第１の動作
図９は、ステップＳ２０９における機能制限処理の手順の第１の例を示している。図９を参照して、機能制限処理における制御装置２１ａの第１の動作を説明する。
【００９７】
機能制限部２０４は、ステップＳ２０３で取得された機能情報に基づいて、発光が制限されているか否かを判定する（ステップＳ３００）。機能情報が発光を示す場合、発光が制限されていると判定される。また、機能情報が発光以外の機能を示す場合、発光が制限されていないと判定される。
【００９８】
発光が制限されていないと判定された場合、後述するステップＳ３０２の処理が行われる。また、発光が制限されていると判定された場合、機能制限部２０４は、発光を制限する設定を行う（ステップＳ３０１）。例えば、機能制限部２０４は、第２の通信インターフェース２００に対して、撮像モジュール１００による撮像に連動した発光モジュール１０２による発光を制限する命令を撮像装置１０ａへ送信させ、第２の通信インターフェース２００は、その命令を撮像装置１０ａに送信する。
【００９９】
機能制限部２０４はさらに、発光モジュール１０２による発光の制限が解除されないようにするため、第２の通信インターフェース２００に対して、発光の制限の解除を禁止する命令を撮像装置１０ａへ送信させてもよい。あるいは、機能制限部２０４は、撮像装置１０ａにおける発光の制限を解除する命令の送信を無効にしてもよい。例えば、撮像制御に係るアプリケーションが制御装置２１ａで使用可能な場合に、アプリケーションを介して、発光の制限を解除する指示が入力されても、その指示が無効となり、発光の制限を解除する命令は送信されない。
【０１００】
発光を制限する設定が行われた後、報知制御部２０３が、報知インターフェース２０１に対して、発光が制限されていることを示す情報を報知させ、報知インターフェース２０１が、その情報を報知してもよい。
【０１０１】
発光を制限する設定が行われた後、機能制限部２０４は、ステップＳ２０３で取得された機能情報に基づいて、録音が制限されているか否かを判定する（ステップＳ３０２）。機能情報が録音を示す場合、録音が制限されていると判定される。また、機能情報が録音以外の機能を示す場合、録音が制限されていないと判定される。
【０１０２】
録音が制限されていないと判定された場合、後述するステップＳ３０４の処理が行われる。また、録音が制限されていると判定された場合、機能制限部２０４は、録音を制限する設定を行う（ステップＳ３０３）。例えば、機能制限部２０４は、第２の通信インターフェース２００に対して、撮像モジュール１００による撮像に連動した録音モジュール１０３による録音を制限する命令を撮像装置１０ａへ送信させ、第２の通信インターフェース２００は、その命令を撮像装置１０ａに送信する。
【０１０３】
機能制限部２０４はさらに、録音モジュール１０３による録音の制限が解除されないようにするため、第２の通信インターフェース２００に対して、録音の制限の解除を禁止する命令を撮像装置１０ａへ送信させてもよい。あるいは、機能制限部２０４は、撮像装置１０ａにおける録音の制限を解除する命令の送信を無効にしてもよい。例えば、撮像制御に係るアプリケーションが制御装置２１ａで使用可能な場合に、アプリケーションを介して、録音の制限を解除する指示が入力されても、その指示が無効となり、録音の制限を解除する命令は送信されない。
【０１０４】
録音を制限する設定が行われた後、報知制御部２０３が、報知インターフェース２０１に対して、録音が制限されていることを示す情報を報知させ、報知インターフェース２０１が、その情報を報知してもよい。
【０１０５】
録音を制限する設定が行われた後、機能制限部２０４は、ステップＳ２０３で取得された機能情報に基づいて、発音が制限されているか否かを判定する（ステップＳ３０４）。機能情報が発音を示す場合、発音が制限されていると判定される。また、機能情報が発音以外の機能を示す場合、発音が制限されていないと判定される。
【０１０６】
発音が制限されていないと判定された場合、後述するステップＳ３０６の処理が行われる。また、発音が制限されていると判定された場合、機能制限部２０４は、発音を制限する設定を行う（ステップＳ３０５）。例えば、機能制限部２０４は、第２の通信インターフェース２００に対して、撮像モジュール１００による撮像に連動した発音モジュール１０４による発音を制限する命令を撮像装置１０ａへ送信させ、第２の通信インターフェース２００は、その命令を撮像装置１０ａに送信する。
【０１０７】
機能制限部２０４はさらに、発音モジュール１０４による発音の制限が解除されないようにするため、第２の通信インターフェース２００に対して、発音の制限の解除を禁止する命令を撮像装置１０ａへ送信させてもよい。あるいは、機能制限部２０４は、撮像装置１０ａにおける発音の制限を解除する命令の送信を無効にしてもよい。例えば、撮像制御に係るアプリケーションが制御装置２１ａで使用可能な場合に、アプリケーションを介して、発音の制限を解除する指示が入力されても、その指示が無効となり、発音の制限を解除する命令は送信されない。
【０１０８】
発音を制限する設定が行われた後、報知制御部２０３が、報知インターフェース２０１に対して、発音が制限されていることを示す情報を報知させ、報知インターフェース２０１が、その情報を報知してもよい。
【０１０９】
発音を制限する設定が行われた後、機能制限部２０４は、ステップＳ２０３で取得された機能情報に基づいて、撮影が制限されているか否かを判定する（ステップＳ３０６）。機能情報が撮影を示す場合、撮影が制限されていると判定される。また、機能情報が撮影以外の機能を示す場合、撮影が制限されていないと判定される。
【０１１０】
撮影が制限されていないと判定された場合、機能制限処理が終了する。その後、ステップＳ２１０の処理が行われる。
【０１１１】
撮影が制限されていると判定された場合、機能制限部２０４は、第２の通信インターフェース２００に対して、撮像装置１０ａの電源をＯＦＦにさせる命令を撮像装置１０ａへ送信させ、第２の通信インターフェース２００は、その命令を撮像装置１０ａに送信する（ステップＳ３０７）。
【０１１２】
撮像装置１０ａの電源をＯＦＦにさせる命令が送信された後、報知制御部２０３が、報知インターフェース２０１に対して、撮影が制限されていることを示す情報を報知させ、報知インターフェース２０１が、その情報を報知してもよい。
【０１１３】
撮像装置１０ａの電源をＯＦＦにさせる命令が送信された後、撮像装置１０ａの制御に関する処理が終了する。
【０１１４】
ステップＳ３０７では、機能制限部２０４は、第２の通信インターフェース２００に対して、撮像装置１０ａをスタンバイ状態にさせる命令を撮像装置１０ａへ送信させ、第２の通信インターフェース２００は、その命令を撮像装置１０ａに送信してもよい。あるいは、機能制限部２０４は、撮像装置１０ａにおける撮影に係る機能を実行する命令（例えば、撮影を行う命令）の送信を無効にしてもよい。あるいは、機能制限部２０４は、撮像装置１０ａとの通信を禁止してもよい。あるいは、機能制限部２０４は、撮像装置１０ａから受信される画像データの利用を禁止してもよい。
【０１１５】
図９に示す処理では、発光と、録音と、発音と、撮影とをそれぞれ制限することが可能であるが、これらの４つの機能のうち、任意の１つまたは複数の機能の制限に対応することが可能である。例えば、４つの機能のうち、１つの機能の制限のみに対応するように、図９に示す処理を変更してもよい。あるいは、４つの機能のうち、任意の２つまたは３つの機能の制限に対応するように、図９に示す処理を変更してもよい。
【０１１６】
第２の動作
図１０は、ステップＳ２０９における機能制限処理の手順の第２の例を示している。図１０を参照して、機能制限処理における制御装置２１ａの第２の動作を説明する。以下では、撮像制御に係るアプリケーションが制御装置２１ａで使用可能な場合の例を説明する。
【０１１７】
図１０では、図９におけるステップＳ３０７がステップＳ３１０〜Ｓ３１２に変更されている。ステップＳ３０６で撮影が制限されていると判定された場合、機能制限部２０４は、アプリケーションを介して入力される撮影指示を無効にする（ステップＳ３１０）。これによって、アプリケーションの画面上の撮影ボタンの操作等により撮影指示が入力されても、撮影指示が無効となり、撮影を行う命令は送信されない。
【０１１８】
アプリケーションを介して入力される撮影指示が無効にされた後、機能制限部２０４は、第２の通信インターフェース２００に対して、撮像モジュール１００による撮像の実行を無効にさせる命令を撮像装置１０ａへ送信させ、第２の通信インターフェース２００は、その命令を撮像装置１０ａに送信する（ステップＳ３１１）。この命令を受信した撮像装置１０ａにおいて、撮像モジュール１００による撮像の実行が無効となるように設定が行われる。これによって、ユーザが撮像装置１０ａのレリーズボタンを操作しても、撮像は行われない。
【０１１９】
撮像モジュール１００による撮像の実行を無効にさせる命令が送信された後、機能制限部２０４は、第２の通信インターフェース２００に対して、レンズ３０ａと発光モジュール１０２への電源の供給を停止する命令を撮像装置１０ａへ送信させ、第２の通信インターフェース２００は、その命令を撮像装置１０ａに送信する（ステップＳ３１２）。この命令を受信した撮像装置１０ａにおいて、レンズ３０ａと発光モジュール１０２への電源の供給が停止する。これによって、レンズ３０ａが動作を停止し、撮像は行われない。また、発光モジュール１０２による発光が行われない。レンズ３０ａと発光モジュール１０２との一方のみへの電源の供給が停止されてもよい。
【０１２０】
レンズ３０ａと発光モジュール１０２への電源の供給を停止する命令が送信された後、報知制御部２０３が、報知インターフェース２０１に対して、撮影が制限されていることを示す情報を報知させ、報知インターフェース２０１が、その情報を報知してもよい。
【０１２１】
レンズ３０ａと発光モジュール１０２への電源の供給を停止する命令が送信された後、機能制限処理が終了する。ステップＳ３１０〜Ｓ３１２以外のステップの処理については既に説明したので、説明を省略する。
【０１２２】
ステップＳ３１０の処理とステップＳ３１１の処理とのうち一方の処理のみが行われてもよい。また、ステップＳ３１２の処理が行われなくてもよい。また、発光と、録音と、発音との３つの機能のうち１つ以上の機能を制限する処理が機能制限処理に含まれていなくてもよい。
【０１２３】
本実施形態では、撮像装置１０と制御装置２１とが接触する前に、制限される機能の情報が報知される。このため、撮影に係る機能が制限される場合の準備に要する手間や時間を削減することができる。また、具体的な機能として、撮像に連動した撮影、発光、録音、または発音が制限される場合の準備に要する手間や時間を削減することができる。
【０１２４】
第１の変形例
次に、本実施形態の第１の変形例を説明する。制御装置２１はさらに、現在時刻を示す第１の時間情報を取得する時間情報取得モジュールを有する。例えば、時間情報取得モジュールは、制御装置２１内部の時刻を生成する時計または電波時計である。
【０１２５】
制限情報は、撮影に係る機能が制限される時間を示す第２の時間情報を含む。図１１は、記憶モジュール２０６に記憶されている制限情報の例を示している。図１１に示す例では、制限情報は、番号と、第２の位置情報と、第２の時間情報と、機能情報と、付加情報とを含む。
【０１２６】
例えば、第２の時間情報は、撮影に係る機能が制限される時間帯を示す。撮影に係る機能が制限される場合、第２の時間情報は、機能の制限が開始される時刻と、機能の制限が終了する時刻とを含む。時間によらず、撮影に係る機能が制限される場合、第２の時間情報は、全ての時間帯を示す。
【０１２７】
本変形例では、図７に示す動作は、以下のようになる。ステップＳ２０１の処理が行われる前、またはステップＳ２０１の処理が行われた後、時間情報取得モジュールは、第１の時間情報を取得する。第１の位置情報と第１の時間情報とが取得された後、ステップＳ２０２において、機能制限部２０４は、記憶モジュール２０６に記憶されている制限情報を参照する。
【０１２８】
続いて、ステップＳ２０３において、機能制限部２０４は、制限情報において、第１の位置情報に対応する第２の位置情報と関連付けられている時間情報を取得する。機能制限部２０４はさらに、時間情報取得モジュールによって取得された第１の時間情報が、制限情報から取得された第２の時間情報に対応しているか否かを判定する。例えば、第１の時間情報によって示される現在時刻が、第２の時間情報によって示される時間帯に入っている場合、第１の時間情報は第２の時間情報に対応していると判定される。また、第１の時間情報によって示される現在時刻が、第２の時間情報によって示される時間帯に入っていない場合、第１の時間情報は第２の時間情報に対応していないと判定される。
【０１２９】
第１の時間情報が第２の時間情報に対応していると判定された場合、機能制限部２０４は、第２の位置情報と関連付けられている機能情報を選択する。また、第１の時間情報が第２の時間情報に対応していないと判定された場合、機能制限部２０４は、機能情報を取得しない。
【０１３０】
上記の処理以外の処理については既に説明したので、説明を省略する。
【０１３１】
本変形例では、位置と時間とに応じて機能が制限される場合の準備に要する手間や時間を削減することができる。
【０１３２】
第２の変形例
次に、本実施形態の第２の変形例を説明する。図１２は、制御装置２１の動作の手順の例を示している。図１２を参照して、制御装置２１の動作を説明する。以下では、図７に示す処理と異なる処理のみを説明し、既に説明した処理については説明を省略する。
【０１３３】
判定部２０２は、撮像装置１０と制御装置２１との通信接続が確立されているか否かを判定する（ステップＳ２２０）。撮像装置１０と制御装置２１との通信接続が確立されていると判定された場合、ステップＳ２１２の処理が行われる。また、撮像装置１０と制御装置２１との通信接続が確立されていないと判定された場合、ステップＳ２０１の処理が行われる。
【０１３４】
また、ステップＳ２０６でカメラを利用すると判定された場合、図７のステップＳ２０７の判定は行われず、ステップＳ２０８で撮像装置１０との通信接続が確立される。ステップＳ２０８の処理は、撮像装置１０と制御装置２１との通信接続が確立されているか否かを判定する処理を含む。撮像装置１０と制御装置２１との通信接続が確立されていると判定された場合、ステップＳ２０９の処理が行われる。
【０１３５】
本変形例では、撮像装置１０との制御装置２１との接触状態を検出する構成は必要ない。このため、図５に示す撮像システムを本変形例に適用する場合、イヤホンジャック２１１、装置検出スイッチ４００、接続端子４０１が設けられていなくてもよい。
【０１３６】
本変形例では、撮像装置１０と制御装置２１との通信接続が確立される前に、撮影に係る機能の制限に関する情報が得られ、撮像装置１０との通信を行う必要があるか否かを判断することが可能である。このため、撮像装置１０との通信が不要な場合に、時間のかかる撮像装置１０と制御装置２１との通信接続を行わなくて済み、撮影に係る機能が制限される場合の準備に要する手間や時間を削減することができる。
【０１３７】
（第３の実施形態）
次に、本発明の第３の実施形態を説明する。図１３は、本実施形態による撮像システムの構成例を示している。図１３に示す撮像システムは、撮像装置１０と、制御装置２２と、外部装置５０とを有する。撮像装置１０の構成については、既に説明したので、説明を省略する。
【０１３８】
制御装置２２は、第２の通信インターフェース２００と、報知インターフェース２０１と、判定部２０２と、報知制御部２０３と、機能制限部２０４と、位置情報取得モジュール２０５とを有する。これらの構成については既に説明したので、説明を省略する。
【０１３９】
外部装置５０は、第２の位置情報と、撮影に係る機能のうち第２の位置情報が示す位置において制限される機能を示す機能情報とが関連付けられた制限情報を記憶する。外部装置５０は、例えばサーバなどによるサービスやクラウドサービスなどを含む。
【０１４０】
本実施形態では、第２の通信インターフェース２００は、外部装置５０と通信を行い、位置情報取得モジュール２０５によって取得された第１の位置情報を外部装置５０に送信し、第１の位置情報に対応する第２の位置情報と関連付けられて外部装置５０に記憶されている機能情報を外部装置５０から受信する。第１の位置情報で示される位置が、第２の位置情報で示される範囲に入っていない場合、機能制限部２０４は、機能情報を外部装置５０から受信しない。すなわち、撮影に係る機能は制限されない。
【０１４１】
報知制御部２０３は、制御装置２２の位置において制限される機能の情報を報知インターフェース２０１に報知させる際、受信された機能情報に対応する情報を報知インターフェース２０１に報知させる。機能制限部２０４は、制御装置２２の位置において制限される機能を制限する際、受信された機能情報が示す機能を制限する。
【０１４２】
図１４は、制御装置２２の動作の手順の例を示している。図１４を参照して、制御装置２２の動作を説明する。以下では、図７に示す処理と異なる処理のみを説明し、既に説明した処理については説明を省略する。
【０１４３】
ステップＳ２０１で第１の位置情報が取得された後、第２の通信インターフェース２００は、外部装置５０と通信接続を確立する（ステップＳ２３０）。外部装置５０と通信接続が確立された後、第２の通信インターフェース２００は、ステップＳ２０１で取得された第１の位置情報を外部装置５０に送信する（ステップＳ２３１）。
【０１４４】
外部装置５０は、制御装置２２から第１の位置情報を受信する。外部装置５０は、外部装置５０に記憶されている制限情報を参照し、受信された第１の位置情報に対応する第２の位置情報と関連付けられて記憶されている機能情報を取得する。外部装置５０は、取得された機能情報を制御装置２２に送信する。
【０１４５】
第１の位置情報が送信された後、第２の通信インターフェース２００は、外部装置５０から機能情報を受信する（ステップＳ２３２）。機能情報が受信された後、ステップＳ２０４の処理が行われる。
【０１４６】
ステップＳ２１２の処理が行われた後、ステップＳ２３３，Ｓ２３４，Ｓ２３５の処理が行われる。ステップＳ２３３，Ｓ２３４，Ｓ２３５の処理は、ステップＳ２３０，Ｓ２３１，Ｓ２３２の処理と同様である。ステップＳ２３５の処理が行われた後、ステップＳ２０８の処理が行われる。
【０１４７】
ステップＳ２０９における機能制限処理は、図９に示す処理と、図１０に示す処理とのどちらであってもよい。
【０１４８】
外部装置５０が記憶する制限情報は、任意に更新可能である。例えば、撮影が禁止されている場所等の情報をユーザがＷｅｂページ等を介して登録することが可能であって、登録された情報に基づいて制限情報を更新してもよい。
【０１４９】
制御装置２２は、撮像装置１０との距離を示す距離情報を取得する距離検出モジュールをさらに有し、第１の位置情報に加えて、距離情報を外部装置５０に送信してもよい。例えば、距離検出モジュールは、撮像装置１０との無線通信における受信強度を測定し、測定結果から距離を検出する。また、外部装置５０は、第１の位置情報が示す位置を中心とし、距離情報が示す距離を半径とする円が、第１の位置情報に対応する第２の位置情報が示す範囲と重なるかどうかを判定してもよい。その円がその範囲と重なる場合、外部装置５０は、第１の位置情報に対応する第２の位置情報と関連付けられて記憶されている機能情報を取得し、その機能情報を制御装置２２に送信してもよい。
【０１５０】
撮像装置１０と制御装置２２との間の通信と、制御装置２２と外部装置５０との間の通信とが排他的に行われる場合がある。例えば、撮像装置１０と制御装置２２との間の通信プロトコルと、制御装置２２と外部装置５０との間の通信プロトコルとが同一であり、それぞれの通信が共通の通信インターフェースで行われる場合、それぞれの通信は排他的に行われる。このため、制御装置２２が、外部装置５０と通信を行った後、撮像装置１０と通信を行う場合、外部装置５０と通信接続が解除された後、撮像装置１０と通信接続が確立される。撮像装置１０と制御装置２２との間の通信プロトコルと、制御装置２２と外部装置５０との間の通信プロトコルとが異なり、それぞれの通信が異なる通信インターフェースで行われる場合、それぞれの通信を同時に行うことが可能である。
【０１５１】
図１２において、ステップＳ２０２〜Ｓ２０３の処理を図１４のステップＳ２３０〜Ｓ２３２の処理に置き換えてもよい。前述したように、撮像装置１０と制御装置２２との間の通信プロトコルと、制御装置２２と外部装置５０との間の通信プロトコルとが同一であり、それぞれの通信が共通の通信インターフェースで行われ、それぞれの通信は排他的に行われる必要がある場合には、図１２のように、撮像装置１０と制御装置２２との間の通信接続が確立される前に機能情報を取得し、撮影に係る機能が制限されているか否かを判断することができる。このため、処理が複雑にならず、かつ短時間で処理を行うことができ、撮影に係る機能が制限される場合の準備に要する手間や時間を削減する効果が高い。
【０１５２】
本実施形態では、撮像装置１０と制御装置２２との通信接続が確立される前に、制限される機能の情報が報知される。このため、撮影に係る機能が制限される場合の準備に要する手間や時間を削減することができる。
【０１５３】
（第４の実施形態）
次に、本発明の第４の実施形態を説明する。図１５は、本実施形態による撮像装置１１の構成例を示している。本実施形態では、図４に示す撮像システムにおける撮像装置１０が撮像装置１１に変更される。
【０１５４】
撮像装置１１は、撮像モジュール１００と、第１の通信インターフェース１０１と、画像記憶モジュール１０５とを有する。既に説明した構成については、説明を省略する。
【０１５５】
画像記憶モジュール１０５は、撮像モジュール１００によって生成された画像データを記憶する。
【０１５６】
本実施形態では、撮像装置１１における撮影に係る機能を制限する命令は、撮像モジュール１００が撮像を停止している状態で、画像記憶モジュール１０５が記憶している画像データを制御装置に送信するモード（再生モード）で強制的に撮像装置を動作させる命令である。つまり、第２の通信インターフェース２００は、撮像モジュール１００が撮像を停止している状態で、画像記憶モジュール１０５が記憶している画像データを制御装置に送信するモードで撮像装置を動作させる命令を撮像装置１１に送信する。撮像装置１１は、撮影モードによる動作と、再生モードによる動作とを排他的に行う。
【０１５７】
図１６は、制御装置２１の動作の手順の例を示している。図１６を参照して、制御装置２１の動作を説明する。以下では、図１４に示す処理と異なる処理のみを説明し、既に説明した処理については説明を省略する。
【０１５８】
ステップＳ２０７において、撮像装置１１と制御装置２１とが接触していると判定された場合、機能制限部２０４は、ステップＳ２３２で受信された機能情報に基づいて、撮影が制限されているか否かを判定する（ステップＳ２３６）。機能情報が撮影を示す場合、撮影が制限されていると判定される。また、機能情報が撮影以外の機能を示す場合、撮影が制限されていないと判定される。
【０１５９】
撮影が制限されていないと判定された場合、ステップＳ２０８の処理が行われる。また、撮影が制限されていると判定された場合、後述する撮影モード変更処理が行われる。
【０１６０】
また、ステップＳ２３５の処理が行われた後、ステップＳ２３６の処理が行われる。この場合、ステップＳ２３５で受信された機能情報に基づいて判定が行われる。
【０１６１】
図１７は、ステップＳ２０９の機能制限処理の手順の例を示している。図１７を参照して、機能制限処理における制御装置２１の動作を説明する。以下では、図９に示す処理と異なる処理のみを説明し、既に説明した処理については説明を省略する。ステップＳ３０４で発音が制限されていないと判定された場合、または、ステップＳ３０５の処理が行われた後、機能制限処理が終了する。発光と、録音と、発音との３つの機能のうち１つ以上の機能を制限する処理が機能制限処理に含まれていなくてもよい。
【０１６２】
図２９は、撮影モード変更処理の手順の例を示している。図２９を参照して、撮影モード変更処理における制御装置２１の動作を説明する。
【０１６３】
機能制限部２０４は、第２の通信インターフェース２００に対して、撮像装置１１と通信接続を確立させ、第２の通信インターフェース２００は撮像装置１１と通信接続を確立する（ステップＳ３２０）。撮像装置１１と通信接続が確立された後、機能制限部２０４は、第２の通信インターフェース２００に対して、再生モードで撮像装置１１を動作させる命令を撮像装置１１へ送信させ、第２の通信インターフェース２００は、その命令を撮像装置１１に送信する（ステップＳ３２１）。この命令を受信した撮像装置１１において、撮像装置１１のモードが再生モードとなるように設定が行われる。したがって、撮像モジュール１００が撮像を行っている状態で上記の命令が受信されると、撮像モジュール１００は撮像を停止する。
【０１６４】
再生モードで撮像装置１１を動作させる命令が送信された後、報知制御部２０３が、報知インターフェース２０１に対して、撮影が制限されていることを示す情報を報知させ、報知インターフェース２０１が、その情報を報知してもよい。
【０１６５】
再生モードで撮像装置１１を動作させる命令が送信された後、制御装置２１による撮像装置１１の再生モードの制御が行われる。ステップＳ３２１の処理は、図１０のステップＳ３１０〜Ｓ３１２の処理のいずれかと組み合わせてもよい。
【０１６６】
本実施形態では、撮影が制限される場合の準備に要する手間や時間を削減することができる。また、撮影が制限される場合に、撮影以外の機能のうち撮像装置１１で良く利用される機能（本実施形態では再生モードの機能）を実行するように制御装置２１が制御を行うことによって、撮像装置１１を利用するユーザの利便性が向上する。
【０１６７】
（第５の実施形態）
次に、本発明の第５の実施形態を説明する。本実施形態では、図１３に示す撮像システムを用いた例を説明する。
【０１６８】
本実施形態では、外部装置５０は、画像データを記憶する。外部装置５０は、制限情報を記憶していなくてもよい。
【０１６９】
本実施形態では、機能制限部２０４は、撮影に係る機能を制限する際、第２の通信インターフェース２００に対して、撮像装置１０との通信を禁止する。例えば、撮像装置１０との通信接続が確立されている場合に、機能制限部２０４は、第２の通信インターフェース２００に対して、撮像装置１０との通信接続を切断させ、撮像装置１０との通信接続が切断された状態を保たせる。あるいは、機能制限部２０４は、第２の通信インターフェース２００をスタンバイ状態にさせる。また、撮像装置１０との通信接続が確立されていない場合には、機能制限部２０４は、第２の通信インターフェース２００に対して、その後に撮像装置１０との通信接続が確立されないように第２の通信インターフェース２００を制御する。
【０１７０】
機能制限部２０４は、撮影に係る機能を制限する際、撮像装置１０との通信を禁止する代わりに、撮像装置１０から受信される画像データの利用を禁止してもよい。例えば、機能制限部２０４は、撮像装置１０から画像データが受信された場合、受信された画像データを削除する。あるいは、機能制限部２０４は、撮像装置１０から画像データが受信された場合、受信された画像データに対して表示アプリケーション等のアプリケーションがアクセスできないように画像データのアクセス権限を変更する。
【０１７１】
第２の通信インターフェース２００は、外部装置５０と通信を行う。機能制限部２０４は、撮影に係る機能を制限する際、第２の通信インターフェース２００に対して、外部装置５０から画像データを受信させる。つまり、撮影に係る機能が制限される場合、制御装置２２のモードは、強制的に外部の画像を閲覧するモードになり、外部装置５０から画像データがダウンロードされる。
【０１７２】
制御装置２２の動作は、図１６に示す動作に従う。前述したように、ステップＳ２３６で撮影が制限されていると判定された場合、撮影モード変更処理が行われる。図３０は、撮影モード変更処理の手順の例を示している。図３０を参照して、撮影モード変更処理における制御装置２２の動作を説明する。
【０１７３】
機能制限部２０４は、第２の通信インターフェース２００に対して、撮像装置１０との通信を禁止する（ステップＳ３３０）。撮像装置１０との通信を禁止する代わりに、撮像装置１０から受信される画像データの利用を禁止してもよい。
【０１７４】
撮像装置１０との通信が禁止された後、機能制限部２０４は、第２の通信インターフェース２００に対して、外部装置５０と通信接続を確立させ、第２の通信インターフェース２００は外部装置５０と通信接続を確立する（ステップＳ３３１）。
【０１７５】
外部装置５０と通信接続が確立された後、機能制限部２０４は、第２の通信インターフェース２００に対して、外部装置５０から画像データを受信させ、第２の通信インターフェース２００は外部装置５０から画像データを受信する（ステップＳ３３２）。
【０１７６】
画像データが受信された後、制御装置２２による画像の閲覧の制御が行われる。例えば、制御装置２２は、受信された画像データに対して画像処理を行う。あるいは、制御装置２２は、受信された画像データに基づく画像を表示する。
【０１７７】
発光と、録音と、発音との３つの機能のうち１つ以上の機能を制限する処理が機能制限処理に含まれていなくてもよい。また、図１２におけるステップＳ２０９の機能制限処理に対して、図１７に示す機能制限処理を適用してもよい。
【０１７８】
また、本実施形態では、撮影モード変更処理において撮像装置１０との通信が行われず、強制的に外部装置５０から画像データがダウンロードされるが、外部装置のないシステムでは、撮影モード変更処理において外部装置と通信を行わない制御のみを行ってもよい。
【０１７９】
本実施形態では、特に撮影が禁止される場合に撮像装置１０との通信が行われないので、準備に要する手間や時間を削減することができるとともに、撮像装置１０で無駄な電力を使うことがない。例えば、撮像装置１０と制御装置２２との間の通信プロトコルと、制御装置２２と外部装置５０との間の通信プロトコルとが同一であり、それぞれの通信が共通の通信インターフェースで行われ、それぞれの通信は排他的に行われる必要がある場合には、制御装置２２が撮像装置１０と通信を行わないことで、処理が複雑にならず、かつ短時間で処理を行うことができ、撮影に係る機能が制限される場合の準備に要する手間や時間を削減する効果が高い。
【０１８０】
また、撮影が制限される場合に、撮影以外の機能のうち撮像装置１０で良く利用される機能として、画像の閲覧等がある。画像の閲覧を行う場合、外部装置（サーバ）に保持されている画像データが良く利用される。このため、外部装置５０から画像データをダウンロードするように制御装置２２が制御を行うことによって、画像を閲覧しようとしているユーザの利便性が向上する。さらに、撮影が制限される場合に、撮像装置１０と制御装置２２との間で通信が行われないので、撮像装置１０の消費電力を抑えることができる。
【０１８１】
（第６の実施形態）
次に、本発明の第６の実施形態を説明する。図１８は、本実施形態による撮像システムの構成例を示している。図１８に示す撮像システムは、撮像装置１０ｂと、制御装置２０ｂと、レンズ３０ｂとを有する。
【０１８２】
撮像装置１０ｂは、図１に示す撮像モジュール１００と、第１の通信インターフェース１０１とを有する。制御装置２０ｂは、図１に示す第２の通信インターフェース２００と、報知インターフェース２０１と、判定部２０２と、報知制御部２０３と、機能制限部２０４とを有する。これらの構成については既に説明したので、説明を省略する。
【０１８３】
レンズ３０ｂが撮像装置１０ｂの同一筐体内（撮像装置１０ｂと一体的）に搭載され、撮像装置１０ｂとレンズ３０ｂとが電気的に接続されている。撮像装置１０ｂは、レンズ３０ｂの状態を制御する信号をレンズ３０ｂに出力する。
【０１８４】
本実施形態では、撮像装置１０ｂにレンズ３０ｂが搭載され、撮像装置１０ｂにおける撮影に係る機能を制限する命令は、レンズ３０ｂの機能を制限する命令である。つまり、第２の通信インターフェース２００は、レンズ３０ｂの機能を制限する命令を撮像装置１０ｂに送信する。
【０１８５】
例えば、レンズ３０ｂの機能を制限する命令は、レンズ３０ｂのバリヤ（カバー）を閉じる命令である。つまり、第２の通信インターフェース２００は、レンズ３０ｂのバリヤを閉じる命令を撮像装置１０ｂに送信する。この命令を受信した撮像装置１０ｂが、レンズ３０ｂのバリヤを閉じるための信号をレンズ３０ｂに出力し、レンズ３０ｂのバリヤが閉じる。レンズ３０ｂのバリヤが閉じると、撮像は行われない。つまり、撮像自体が制限される。
【０１８６】
レンズ３０ｂの機能を制限する命令は、レンズ３０ｂを沈胴（retract）させる命令であってもよい。つまり、第２の通信インターフェース２００は、レンズ３０ｂを沈胴させる命令を撮像装置１０ｂに送信してもよい。この命令を受信した撮像装置１０ｂが、レンズ３０ｂを沈胴させるための信号をレンズ３０ｂに出力し、レンズ３０ｂが沈胴する。レンズ３０ｂが沈胴すると、撮像は行われない。つまり、撮像自体が制限される。
【０１８７】
レンズ３０ｂまたはレンズ３０ｂのバリヤは、撮影に係る機能が制限されていることをユーザに報知する報知部（報知インターフェース）としても機能する。レンズ３０ｂを沈胴させる命令と、レンズ３０ｂのバリヤを閉じる命令とは、撮像装置１０ｂにおいて撮影に係る機能が制限されていることを報知部に報知させる命令を兼ねる。この命令を受信した撮像装置１０ｂにおいてレンズ３０ｂが沈胴する、またはレンズ３０ｂのバリヤが閉じることによって、ユーザは、撮像が制限されていることを知ることができる。
【０１８８】
図１９は、撮像時のレンズ３０ｂの状態を示している。レンズ３０ｂの先端部３００ｂが、レンズ３０ｂの筐体から光学的に前方に突き出している。図２０は、非撮像時のレンズ３０ｂの状態を示している。レンズ３０ｂは沈胴した状態であり、図１９におけるレンズ３０ｂの先端部３００ｂはレンズ３０ｂの筐体の内部に収まっている。また、レンズ３０ｂのバリヤ３０１ｂが閉じており、レンズ３０ｂの前面はバリヤ３０１ｂで覆われている。
【０１８９】
図２１は、図７におけるステップＳ２０９の機能制限処理の手順の例を示している。図２１を参照して、機能制限処理における制御装置２０ｂの動作を説明する。以下では、図９に示す処理と異なる処理のみを説明し、既に説明した処理については説明を省略する。
【０１９０】
ステップＳ３０６で撮影が制限されていると判定された場合、機能制限部２０４は、第２の通信インターフェース２００に対して、レンズ３０ｂを沈胴させる命令を送信させ、第２の通信インターフェース２００は、その命令を撮像装置１０ｂに送信する（ステップＳ３４０）。
【０１９１】
レンズ３０ｂを沈胴させる命令が送信された後、機能制限部２０４は、第２の通信インターフェース２００に対して、レンズ３０ｂのバリヤ３０１ｂを閉じる命令を送信させ、第２の通信インターフェース２００は、その命令を撮像装置１０ｂに送信する（ステップＳ３４１）。
【０１９２】
レンズ３０ｂのバリヤ３０１ｂを閉じる命令が送信された後、報知制御部２０３が、報知インターフェース２０１に対して、撮影が制限されていることを示す情報を報知させ、報知インターフェース２０１が、その情報を報知してもよい。
【０１９３】
レンズ３０ｂのバリヤ３０１ｂを閉じる命令が送信された後、機能制限処理が終了する。
【０１９４】
ステップＳ３４０の処理とステップＳ３４１の処理とのうち一方の処理のみが行われてもよい。また、発光と、録音と、発音との３つの機能のうち１つ以上の機能を制限する処理が機能制限処理に含まれていなくてもよい。また、図１２におけるステップＳ２０９の機能制限処理に対して、図２１に示す機能制限処理を適用してもよい。
【０１９５】
また、本実施形態では、機能制限部２０４が行う処理によって、レンズ３０ｂを沈胴させる命令やレンズ３０ｂのバリヤ３０１ｂを閉じる命令が送信されるが、以下のようにしてもよい。例えば、機能制限部２０４は、図９のステップＳ３０７または図２９のステップＳ３２１の処理を実施することにより、“撮像装置の電源ＯＦＦコマンド”または“再生モード設定コマンド”を撮像装置１０ｂに送信する。撮像装置１０ｂは、第１の通信インターフェース１０１を介して“電源ＯＦＦコマンド”または“再生モード設定コマンド”が受信された場合、電源ＯＦＦ処理または再生モード設定処理の一環として、レンズ３０ｂを沈胴させる、または、レンズ３０ｂのバリヤ３０１ｂを閉じる。これによって、通信されるコマンドをより少なくすることができる。
【０１９６】
本実施形態では、撮影が制限される場合の準備に要する手間や時間を削減することができる。また、撮影が制限されているか否か（撮影が行われているか否か）を周囲に明確に伝えることができるため、撮影が制限されている場所で周囲から撮影の意思があるとみなされ、ユーザが係員に咎められることなどがない。
【０１９７】
（第７の実施形態）
次に、本発明の第７の実施形態を説明する。図２２は、本実施形態による撮像装置１２の構成例を示している。本実施形態では、図４に示す撮像システムにおける撮像装置１０が撮像装置１２に変更される。
【０１９８】
撮像装置１２は、撮像モジュール１００と、第１の通信インターフェース１０１と、画像処理部１０６とを有する。既に説明した構成については、説明を省略する。
【０１９９】
画像処理部１０６は、撮像モジュール１００によって生成された画像データを処理する。本実施形態では、撮像装置１２における撮影に係る機能を制限する命令は、画像処理部１０６が処理した画像データの画質を所定の画質未満に制限する命令である。つまり、第２の通信インターフェース２００は、画像処理部１０６が処理した画像データの画質を所定の画質未満に制限する命令を撮像装置１２に送信する。
【０２００】
図２３は、図７におけるステップＳ２０９の機能制限処理の手順の例を示している。図２３を参照して、機能制限処理における制御装置２１の動作を説明する。以下では、図９に示す処理と異なる処理のみを説明し、既に説明した処理については説明を省略する。
【０２０１】
ステップＳ３０５で発音を制限する設定が行われた後、機能制限部２０４は、ステップＳ２０３で取得された機能情報に基づいて、画質が制限されているか否かを判定する（ステップＳ３５１）。機能情報が画像処理を示す場合、画質が制限されていると判定される。また、機能情報が画像処理以外の機能を示す場合、画質が制限されていないと判定される。
【０２０２】
画質が制限されていないと判定された場合、ステップＳ３０６の処理が行われる。また、画質が制限されていると判定された場合、機能制限部２０４は、第２の通信インターフェース２００に対して、画像データの画質を所定の画質未満に制限する命令を撮像装置１２へ送信させ、第２の通信インターフェース２００は、その命令を撮像装置１２に送信する（ステップＳ３５１）。この命令を受信した撮像装置１２において、画像処理部１０６によって処理された画像データの画質が所定の画質未満となるように設定が行われる。
【０２０３】
画像データの画質を所定の画質未満に制限する命令が送信された後、報知制御部２０３が、報知インターフェース２０１に対して、画質が制限されていることを示す情報を報知させ、報知インターフェース２０１が、その情報を報知してもよい。
【０２０４】
画像データの画質を所定の画質未満に制限する命令が送信された後、ステップＳ３０６の処理が行われる。
【０２０５】
発光と、録音と、発音と、撮影との４つの機能のうち１つ以上の機能を制限する処理が機能制限処理に含まれていなくてもよい。また、図１２におけるステップＳ２０９の機能制限処理に対して、図２３に示す機能制限処理を適用してもよい。
【０２０６】
本実施形態では、撮像に連動した画像処理が制限される場合の準備に要する手間や時間を削減することができる。
【０２０７】
変形例
次に、本実施形態の変形例を説明する。本変形例では、第２の通信インターフェース２００は、画像データの画質を所定の画質以上に設定するキーを記憶する外部装置と通信を行う。第２の通信インターフェース２００は、外部装置からキーを受信した場合、受信されたキーを撮像装置１２に送信する。
【０２０８】
このキーを受信した撮像装置１２において、画像処理部１０６によって処理された画像データの画質が所定の画質以上となるように設定が行われる。つまり、画質の制限が解除される。例えば、映画館等の場所で、ユーザがキーを購入すると、上記のようにして画質の制限が解除される。
【０２０９】
本変形例では、画質の制限を解除することができる。また、撮像に連動した画像処理が制限される場合の準備時に、ユーザが画質の制限に気づいてキーを入手することで、撮影の準備を効率的に行うことができる。
【０２１０】
（第８の実施形態）
次に、本発明の第８の実施形態を説明する。図２４は、本実施形態による撮像システムの構成例を示している。図２４に示す撮像システムは、撮像装置１０ｃと、制御装置２０ｃと、レンズ３０ｃとを有する。制御装置２０ｃと、レンズ３０ｃとは、一体化されて同一筐体内にあってもよい。
【０２１１】
撮像装置１０ｃの表面（側面）には、情報を表示する表示インターフェース１０７が配置されている。例えば、表示インターフェース１０７は、マルチカラーによる発光が可能なＬＥＤである。制御装置２０ｃは、図１に示す第２の通信インターフェース２００と、報知インターフェース２０１と、判定部２０２と、報知制御部２０３と、機能制限部２０４とを有する。これらの構成については既に説明したので、説明を省略する。
【０２１２】
レンズ３０ｃが撮像装置１０ｃに搭載され、撮像装置１０ｃとレンズ３０ｃとが電気的に接続されている。撮像装置１０ｃは、レンズ３０ｃの状態を制御する信号をレンズ３０ｃに出力する。
【０２１３】
図２５は、撮像装置１０ｃの構成例を示している。撮像装置１０ｃは、撮像モジュール１００と、第１の通信インターフェース１０１と、表示インターフェース１０７とを有する。既に説明した構成については、説明を省略する。
【０２１４】
表示インターフェース１０７は、情報を表示する。本実施形態では、第１の通信インターフェース１０１は、撮像装置１０ｃにおける撮影に係る機能を制限する命令を制御装置２０ｃから受信する。表示インターフェース１０７は、その命令が受信された場合、撮影に係る機能が制限されていることを示す情報を表示する。制御装置２０ｃの機能制限部２０４は、撮影に係る機能を制限する際、第２の通信インターフェース２００に対して、撮像装置１０ｃにおける撮影に係る機能を制限する命令を撮像装置１０ｃへ送信させ、第２の通信インターフェース２００は、その命令を撮像装置１０ｃに送信する。
【０２１５】
例えば、表示インターフェース１０７は、撮影に係る機能が制限されていない場合には第１の色で発光し、撮影に係る機能が制限されている場合には第１の色と異なる第２の色で発光する。例えば、表示インターフェース１０７は、撮影モード時に赤で発光し、再生モード時に青を表示する。
【０２１６】
撮影に係る機能が制限されている場合の表示インターフェース１０７の発光パターンと、撮影に係る機能が制限されていない場合の表示インターフェース１０７の発光パターンとが異なっていてもよい。また、表示インターフェース１０７はＬＥＤ以外の表示素子（ディスプレイ等）であってもよい。
【０２１７】
表示インターフェース１０７は、撮影に係る機能が制限されていることをユーザに報知する報知部（報知インターフェース）としても機能する。制御装置２０ｃから撮像装置１０ｃに送信される、撮影に係る機能を制限する命令は、撮像装置１０ｃにおいて撮影に係る機能が制限されていることを報知部に報知させる命令を兼ねる。表示インターフェース１０７が上記のように情報を表示することによって、ユーザは、撮像が制限されていることを知ることができる。
【０２１８】
本実施形態では、撮影に係る機能が制限されているか否か（撮影が行われているか否か）を周囲に明確に伝えることができるため、撮影が制限されている場所で周囲から撮影の意思があるとみなされ、ユーザが係員に咎められることなどがない。
【０２１９】
以上、図面を参照して本発明の実施形態について詳述してきたが、具体的な構成は上記の実施形態に限られるものではなく、本発明の要旨を逸脱しない範囲の設計変更等も含まれる。
【符号の説明】
【０２２０】
１０，１０ａ，１０ｂ，１０ｃ，１１，１２  撮像装置
２０，２０ｂ，２０ｃ，２１，２１ａ，２２  制御装置
３０ａ，３０ｂ，３０ｃ  レンズ
４０ａ  カバー
５０  外部装置
１００  撮像モジュール
１０１  第１の通信インターフェース
１０２  発光モジュール
１０３  録音モジュール
１０４  発音モジュール
１０５  画像記憶モジュール
１０６  画像処理部
１０７，２０１ａ  表示インターフェース
１０８  操作インターフェース
２００  第２の通信インターフェース
２０１  報知インターフェース
２０２  判定部
２０３  報知制御部
２０４  機能制限部
２０５  位置情報取得モジュール
２０６  記憶モジュール
２１０  ディスプレイ
２１１  イヤホンジャック
４００  装置検出スイッチ
４０１  接続端子
【図１】
2015142183.tif 000003
【図２】
2015142183.tif 000004
【図３】
2015142183.tif 000005
【図４】
2015142183.tif 000006
【図５】
2015142183.tif 000007
【図６】
2015142183.tif 000008
【図７】
2015142183.tif 000009
【図８】
2015142183.tif 000010
【図９】
2015142183.tif 000011
【図１０】
2015142183.tif 000012
【図１１】
2015142183.tif 000013
【図１２】
2015142183.tif 000014
【図１３】
2015142183.tif 000015
【図１４】
2015142183.tif 000016
【図１５】
2015142183.tif 000017
【図１６】
2015142183.tif 000018
【図１７】
2015142183.tif 000019
【図１８】
2015142183.tif 000020
【図１９】
2015142183.tif 000021
【図２０】
2015142183.tif 000022
【図２１】
2015142183.tif 000023
【図２２】
2015142183.tif 000024
【図２３】
2015142183.tif 000025
【図２４】
2015142183.tif 000026
【図２５】
2015142183.tif 000027
【図２６】
2015142183.tif 000028
【図２７】
2015142183.tif 000029
【図２８】
2015142183.tif 000030
【図２９】
2015142183.tif 000031
【図３０】
2015142183.tif 000032